(57)【要約】  高精細化されたプラズマディスプレイパネルにおいて、壁電荷の調整を適正に行って安定した書込み動作を行い、書込み期間における異常放電の発生を抑えて画像表示品質を向上させる。そのために、複数の走査電極を有するプラズマディスプレイパネルと、初期化期間には下降する第１の下り傾斜電圧である下りランプ電圧（Ｌ２）または下りランプ電圧（Ｌ４）を発生し、維持期間には維持パルスを発生し、維持期間の最後には上昇する上り傾斜電圧である上り消去ランプ電圧（Ｌ３）を発生して走査電極に印加する走査電極駆動回路とを備え、走査電極駆動回路は、維持期間において維持パルスの発生後に、下りランプ電圧（Ｌ２）および下りランプ電圧（Ｌ４）よりも緩やかな勾配で下降する部分を有する第２の下り傾斜電圧である下り消去ランプ電圧（Ｌ５）を発生し、下り消去ランプ電圧（Ｌ５）の発生後に上り消去ランプ電圧（Ｌ３）を発生して走査電極に印加する。
2010016233.tif 000002
【特許請求の範囲】
【請求項１】
初期化期間と書込み期間と維持期間とを有するサブフィールドを１フィールド内に複数設けて階調表示するサブフィールド法で駆動し、複数の走査電極を有するプラズマディスプレイパネルと、
前記初期化期間には下降する第１の下り傾斜電圧を発生し、前記維持期間には維持パルスを発生し、前記維持期間の最後には上昇する上り傾斜電圧を発生して前記走査電極に印加する走査電極駆動回路とを備え、
前記走査電極駆動回路は、前記維持期間において前記維持パルスの発生後に、前記第１の下り傾斜電圧よりも緩やかな勾配で下降する部分を有する第２の下り傾斜電圧を発生し、前記第２の下り傾斜電圧の発生後に前記上り傾斜電圧を発生して前記走査電極に印加することを特徴とするプラズマディスプレイ装置。
【請求項２】
前記走査電極駆動回路は、前記第２の下り傾斜電圧を、前記第１の下り傾斜電圧よりも緩やかな勾配で下降する部分と前記緩やかな勾配よりも急峻な勾配で下降する部分とを含めて発生して前記走査電極に印加することを特徴とする請求項１に記載のプラズマディスプレイ装置。
【請求項３】
前記走査電極駆動回路は、前記第２の下り傾斜電圧を、−０．５Ｖ／μｓｅｃ以上−２．５Ｖ／μｓｅｃ未満の勾配で発生して前記走査電極に印加することを特徴とする請求項１に記載のプラズマディスプレイ装置。
【請求項４】
複数の走査電極を有するプラズマディスプレイパネルを、初期化期間と書込み期間と維持期間とを有するサブフィールドを１フィールド内に複数設けて階調表示するサブフィールド法により駆動するとともに、
前記初期化期間には下降する第１の下り傾斜電圧を発生し、前記維持期間には維持パルスを発生し、前記維持期間の最後には上昇する上り傾斜電圧を発生して前記走査電極に印加し、
前記維持期間において前記維持パルスの発生後に、前記第１の下り傾斜電圧よりも緩やかな勾配で下降する部分を有する第２の下り傾斜電圧を発生して前記走査電極に印加し、前記第２の下り傾斜電圧の発生後に前記上り傾斜電圧を発生して前記走査電極に印加することを特徴とするプラズマディスプレイパネルの駆動方法。
【請求項５】
初期化期間と書込み期間と維持期間とを有するサブフィールドを１フィールド内に複数設けて階調表示するサブフィールド法で駆動し、複数の走査電極を有するプラズマディスプレイパネルと、
前記初期化期間には下降する第１の下り傾斜電圧を発生し、前記維持期間には維持パルスを発生し、前記維持期間の最後には上昇する上り傾斜電圧を発生して前記走査電極に印加する走査電極駆動回路とを備え、
前記走査電極駆動回路は、前記維持期間において前記維持パルスの発生後に、前記第１の下り傾斜電圧の最低電圧よりも低い電圧まで下降する第３の下り傾斜電圧を発生し、前記第３の下り傾斜電圧の発生後に前記上り傾斜電圧を発生して前記走査電極に印加することを特徴とするプラズマディスプレイ装置。
【請求項６】
前記走査電極駆動回路は、前記第３の下り傾斜電圧の最低電圧を、前記第１の下り傾斜電圧の最低電圧よりも低く、かつ前記第１の下り傾斜電圧の最低電圧−２（Ｖ）以上にして前記第３の下り傾斜電圧を発生して、前記走査電極に印加することを特徴とする請求項５に記載のプラズマディスプレイ装置。
【請求項７】
複数の走査電極を有するプラズマディスプレイパネルを、初期化期間と書込み期間と維持期間とを有するサブフィールドを１フィールド内に複数設けて階調表示するサブフィールド法により駆動するとともに、
前記初期化期間には下降する第１の下り傾斜電圧を発生し、前記維持期間には維持パルスを発生し、前記維持期間の最後には上昇する上り傾斜電圧を発生して前記走査電極に印加し、
前記維持期間において前記維持パルスの発生後に、前記第１の下り傾斜電圧の最低電圧よりも低い電圧まで下降する第３の下り傾斜電圧を発生して前記走査電極に印加し、前記第３の下り傾斜電圧の発生後に前記上り傾斜電圧を発生して前記走査電極に印加することを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成されている。そして、それら表示電極対を覆うように誘電体層および保護層が形成されている。背面板は、背面ガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。そして、表示電極対とデータ電極とが立体交差するように前面板と背面板とが対向配置されて密封されている。密封された内部の放電空間には、例えば分圧比で５％のキセノンを含む放電ガスが封入されている。表示電極対とデータ電極とが対向する部分に放電セルが形成される。このような構成のパネルにおいて、各放電セル内でガス放電により紫外線を発生させる。この紫外線で赤色（Ｒ）、緑色（Ｇ）および青色（Ｂ）の各色の蛍光体を励起発光させて、パネルにカラー画像を表示する。【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。【０００４】
各サブフィールドは、初期化期間、書込み期間および維持期間を有する。【０００５】
初期化期間では、各走査電極に初期化波形を印加し、各放電セルで初期化放電を発生させる。それにより、各放電セルにおいて、続く書込み動作のために必要な壁電荷を各電極上に形成する。また、書込み放電を安定に発生させるためのプライミング粒子（書込み放電を発生させるための励起粒子）を各放電セルに発生させる。【０００６】
書込み期間では、走査電極に走査パルスを印加するとともに、データ電極には表示すべき画像信号にもとづき選択的に書込みパルスを印加する。それにより、表示を行うべき放電セルに選択的に書込み放電を発生させ、壁電荷を形成する（以下、この動作を「書込み」とも記す）。【０００７】
維持期間では、表示させるべき輝度に応じた数の維持パルスを走査電極と維持電極とからなる表示電極対に交互に印加する。それにより、書込み放電を起こした放電セルで維持放電を発生させ、その放電セルの蛍光体層を発光させる。これにより画像表示を行う。【０００８】
また、サブフィールド法の１つとして次の駆動方法が開示されている。この駆動方法では、緩やかに変化する電圧波形を用いて初期化放電を行う。さらに、維持放電を行った放電セルに対して選択的に初期化放電を行う。これにより、階調表示に関係しない発光を極力減らし、コントラスト比を向上させる。【０００９】
具体的には、複数のサブフィールドのうち、１つのサブフィールドの初期化期間においては、全ての放電セルに初期化放電を発生させる全セル初期化動作を行う。また、他のサブフィールドの初期化期間においては、直前の維持期間で維持放電を行った放電セルにのみ初期化放電を発生させる選択初期化動作を行う。このように駆動することにより、画像の表示に関係のない発光によって変化する黒表示領域の輝度（以下、「黒輝度」と略記する）は、全セル初期化動作における微弱発光だけとなり、コントラストの高い画像表示が可能となる（例えば、特許文献１参照）。【００１０】
また、次の駆動方法も開示されている。この駆動方法では、初期化期間に、緩やかな傾斜で電圧が上昇する部分と緩やかな傾斜で電圧が下降する部分とを有する初期化波形を放電セルに印加する。そして、その直前には、全放電セルの維持電極と走査電極との間に微弱放電を発生させる。これにより、パネルにおける黒の視認性を向上させることができる（例えば、特許文献２参照）。【００１１】
近年、パネルの高精細化にともない放電セルのさらなる微細化が進んでいる。この微細化された放電セルでは、初期化放電によって放電セル内に形成された壁電荷が、隣接する放電セルに発生する書込み放電や維持放電の影響を受けて変化しやすいことが確認されている。また、維持期間に発生させる維持パルスの数が多いサブフィールドでは、維持放電を発生させない放電セルの壁電荷が、その放電セルに隣接する維持放電を発生させる放電セルの影響を受けて変化しやすいことも確認されている。そして、放電セルに不要な壁電荷が過剰に蓄積すると、例えば、書込み放電を発生させるべきでない放電セルで誤った書込み放電（以下、「誤放電」とも記す）が発生することがある。このような誤放電は、画像表示品質を劣化させてしまう。
【先行技術文献】
【特許文献】
【００１２】
【特許文献１】特開２０００−２４２２２４号公報
【特許文献２】特開２００４−３７８８３号公報
【発明の概要】
【００１３】
本発明のプラズマディスプレイ装置は、初期化期間と書込み期間と維持期間とを有するサブフィールドを１フィールド内に複数設けて階調表示するサブフィールド法で駆動し、複数の走査電極を有するパネルと、初期化期間には下降する第１の下り傾斜電圧を発生し、維持期間には維持パルスを発生し、維持期間の最後には上昇する上り傾斜電圧を発生して走査電極に印加する走査電極駆動回路とを備え、走査電極駆動回路は、維持期間において維持パルスの発生後に、第１の下り傾斜電圧よりも緩やかな勾配で下降する部分を有する第２の下り傾斜電圧を発生し、第２の下り傾斜電圧の発生後に上り傾斜電圧を発生して走査電極に印加することを特徴とする。
【００１４】
これにより、高精細化されたパネルにおいても、壁電荷の調整を適正に行って安定した書込み動作を行い、書込み期間における異常放電の発生を抑えて画像表示品質を向上させることが可能となる。
【図面の簡単な説明】
【００１５】
【図１】図１は、本発明の実施の形態１におけるパネルの構造を示す分解斜視図である。
【図２】図２は、同パネルの電極配列図である。
【図３】図３は、同パネルの各電極に印加する駆動電圧波形図である。
【図４】図４は、本発明の実施の形態１におけるプラズマディスプレイ装置の回路ブロック図である。
【図５】図５は、同プラズマディスプレイ装置の走査電極駆動回路の一構成例を示す回路図である。
【図６】図６は、本発明の実施の形態１における全セル初期化期間の走査電極駆動回路の動作の一例を説明するためのタイミングチャートである。
【図７】図７は、本発明の実施の形態１における書込みパルス電圧Ｖｄと走査パルス電圧（振幅）との関係を示す特性図である。
【図８】図８は、本発明の実施の形態１における走査電極に印加する下り消去ランプ電圧の他の波形例を示す波形図である。
【図９】図９は、本発明の実施の形態１におけるパネルの各電極に印加する駆動電圧波形の他の一例を示す波形図である。
【図１０】図１０は、本発明の実施の形態２におけるパネルの各電極に印加する駆動電圧波形図である。
【図１１】図１１は、本発明の実施の形態２における走査電極駆動回路の一構成例を示す回路図である。
【図１２】図１２は、本発明の実施の形態２における走査電極駆動回路の走査ＩＣと走査電極との接続の様子を示す概略図である。
【図１３】図１３は、本発明の実施の形態２における制御信号ＯＣ１、制御信号ＯＣ２と走査ＩＣの動作状態との対応関係を示す図である。
【図１４】図１４は、本発明の実施の形態２における全セル初期化期間の走査電極駆動回路の動作の一例を説明するためのタイミングチャートである。
【図１５】図１５は、本発明の実施の形態２における走査電極に印加する下り消去ランプ電圧の他の波形例を示す波形図である。
【図１６】図１６は、本発明の実施の形態２におけるパネルの各電極に印加する駆動電圧波形の他の一例を示す波形図である。
【発明を実施するための形態】
【００１６】
以下、本発明の実施の形態におけるプラズマディスプレイ装置について、図面を用いて説明する。
【００１７】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００１８】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００１９】
背面板３１上にはデータ電極３２が複数形成されている。そして、データ電極３２を覆うように誘電体層３３が形成されている。そして、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２０】
これら前面板２１と背面板３１とは、微小な放電空間を挟んで表示電極対２４とデータ電極３２とが交差するように対向配置されている。そして、その外周部をガラスフリット等の封着材によって封着されている。そして、その内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２１】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２２】
図２は、本発明の実施の形態１におけるパネル１０の電極配列図である。パネル１０には、行方向に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列されている。そして、列方向に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成されている。したがって、放電セルは放電空間内にｍ×ｎ個形成されている。そして、ｍ×ｎ個の放電セルが形成された領域がパネル１０の表示領域となる。
【００２３】
次に、パネル１０を駆動するための駆動電圧波形とその動作の概要について図３を用いて説明する。なお、本実施の形態におけるプラズマディスプレイ装置は、サブフィールド法によってパネル１０を駆動するものとする。このサブフィールド法では、１フィールドを時間軸上で複数のサブフィールドに分割し、各サブフィールドに輝度重みをそれぞれ設定する。そして、サブフィールド毎に各放電セルの発光・非発光を制御することによって階調表示を行う。
【００２４】
このサブフィールド法では、例えば、１フィールドを８のサブフィールド（第１ＳＦ、第２ＳＦ、・・・、第８ＳＦ）で構成し、各サブフィールドはそれぞれ、例えば（１、２、４、８、１６、３２、６４、１２８）の輝度重みを有する構成とすることができる。そして、各サブフィールドでは、この輝度重みに、あらかじめ設定された輝度倍率を乗じた数の維持パルスを発生させる。これにより、維持期間における発光の回数を制御して画像の明るさを調整する。また、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては直前のサブフィールドで維持放電を行った放電セルに対して選択的に初期化放電を発生させる選択初期化動作を行う（以下、選択初期化動作を行うサブフィールドを「選択初期化サブフィールド」と呼称する）。こうすることで、階調表示に関係しない発光を極力減らしコントラスト比を向上させることが可能である。
【００２５】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなる。したがって、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００２６】
しかし、本発明は、サブフィールド数や各サブフィールドの輝度重みが、本実施の形態に示す上記の値に限定されるものではない。また、画像信号等にもとづいてサブフィールド構成を切換える構成であってもよい。
【００２７】
なお、本実施の形態では、維持期間において、維持パルスの発生後に、下降する傾斜電圧を発生して走査電極に印加し、その後、上昇する傾斜電圧を発生して走査電極に印加する。これにより、続くサブフィールドの初期化期間における初期化動作および書込み期間における書込み動作を安定させている。以下、まず駆動電圧波形の概要について説明する。続いて、駆動回路の構成について説明する。
【００２８】
図３は、本発明の実施の形態１におけるパネル１０の各電極に印加する駆動電圧波形図である。
【００２９】
なお、図３には、書込み期間において最初に走査を行う走査電極ＳＣ１、書込み期間において最後に走査を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動波形を示す。
【００３０】
また、図３には、２つのサブフィールドの駆動電圧波形を示す。すなわち全セル初期化サブフィールドである第１サブフィールド（第１ＳＦ）と、選択初期化サブフィールドである第２サブフィールド（第２ＳＦ）とを図３に示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中からサブフィールドデータ（サブフィールド毎の発光・非発光を示すデータ）にもとづき選択された電極を表す。
【００３１】
まず、全セル初期化サブフィールドである第１ＳＦについて説明する。
【００３２】
第１ＳＦの初期化期間前半部では、データ電極Ｄ１〜データ電極Ｄｍ、維持電極ＳＵ１〜維持電極ＳＵｎにそれぞれ０（Ｖ）を印加する。そして、走査電極ＳＣ１〜走査電極ＳＣｎには、０（Ｖ）を印加した後、電圧Ｖｓｃを印加し、さらに、電圧Ｖｓｃに積み上げ電圧を重畳した電圧Ｖｉ１を印加する。さらに電圧Ｖｉ１から、電圧Ｖｉ２に向かって緩やかに（例えば、約１．３Ｖ／μｓｅｃの勾配で）上昇する傾斜電圧（以下、「上りランプ電圧」と呼称する）Ｌ１を印加する。このとき、電圧Ｖｉ１は、放電開始電圧未満の電圧とし、電圧Ｖｉ２は維持電極ＳＵ１〜維持電極ＳＵｎに対して放電開始電圧を超える電圧とする。
【００３３】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３４】
初期化期間後半部では、維持電極ＳＵ１〜維持電極ＳＵｎには正の電圧Ｖｅ１を印加し、データ電極Ｄ１〜データ電極Ｄｍには０（Ｖ）を印加する。そして、走査電極ＳＣ１〜走査電極ＳＣｎには、電圧Ｖｉ３から負の電圧Ｖｉ４に向かって緩やかに（例えば、約−２．５Ｖ／μｓｅｃの勾配で）下降する下り傾斜電圧（以下、「下りランプ電圧」と呼称する）Ｌ２を印加する。このとき、電圧Ｖｉ３は維持電極ＳＵ１〜維持電極ＳＵｎに対して放電開始電圧未満の電圧とし、電圧Ｖｉ４は放電開始電圧を超える電圧とする。
【００３５】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められる。そして、データ電極Ｄ１〜データ電極Ｄｍ上部の正の壁電圧は書込み動作に適した値に調整される。
【００３６】
以上により、全ての放電セルに対して初期化放電を行う全セル初期化動作が終了する。
【００３７】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加する。こうして、各放電セルに選択的に書込み放電を発生させる。
【００３８】
この書込み期間では、まず維持電極ＳＵ１〜維持電極ＳＵｎに電圧Ｖｅ２を印加し、走査電極ＳＣ１〜走査電極ＳＣｎに（電圧Ｖａ＋電圧Ｖｓｃ）を印加する。
【００３９】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。
【００４０】
このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こる。そして、走査電極ＳＣ１上に正の壁電圧が蓄積され、維持電極ＳＵ１上に負の壁電圧が蓄積され、データ電極Ｄｋ上にも負の壁電圧が蓄積される。
【００４１】
このようにして、１行目に発光させるべき放電セルで書込み放電を起こして各電極上に壁電圧を蓄積する書込み動作を行う。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００４２】
続く維持期間では、輝度重みに所定の輝度倍率を乗じた数の維持パルスを表示電極対２４に交互に印加して、書込み放電を発生した放電セルで維持放電を発生させ、その放電セルを発光させる。
【００４３】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。これにより、放電セルに印加される電圧は、維持パルス電圧Ｖｓに、走査電極ＳＣｉ上の壁電圧と維持電極ＳＵｉ上の壁電圧との差が加算された電圧となる。そして、書込み放電を起こした放電セルでは、走査電極ＳＣｉ上と維持電極ＳＵｉ上との電圧差が放電開始電圧を超える。
【００４４】
こうして、書込み放電を起こした放電セルで、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４５】
続いて、走査電極ＳＣ１〜走査電極ＳＣｎにはベース電位となる０（Ｖ）を印加し、維持電極ＳＵ１〜維持電極ＳＵｎには維持パルス電圧Ｖｓを印加する。すると、維持放電を起こした放電セルでは、維持電極ＳＵｉ上と走査電極ＳＣｉ上との電圧差が放電開始電圧を超える。これにより再び維持電極ＳＵｉと走査電極ＳＣｉとの間に維持放電が起こる。そして、維持電極ＳＵｉ上に負の壁電圧が蓄積され、走査電極ＳＣｉ上に正の壁電圧が蓄積される。以降同様に、走査電極ＳＣ１〜走査電極ＳＣｎと維持電極ＳＵ１〜維持電極ＳＵｎとに輝度重みに輝度倍率を乗じた数の維持パルスを交互に印加し、表示電極対２４の電極間に電位差を与える。こうすることにより、書込み期間において書込み放電を起こした放電セルで維持放電が継続して行われる。
【００４６】
そして、維持期間における最終の維持パルスを維持電極ＳＵ１〜維持電極ＳＵｎに印加した後に、維持電極ＳＵ１〜維持電極ＳＵｎおよびデータ電極Ｄ１〜データ電極Ｄｍには０（Ｖ）を印加したまま、走査電極ＳＣ１〜走査電極ＳＣｎには、データ電極Ｄ１〜データ電極Ｄｍに対して放電開始電圧以下となる接地電位、すなわち０（Ｖ）から放電開始電圧を超える負の電圧Ｖｉ４に向かって緩やかに下降する第２の下り傾斜電圧（以下、「下り消去ランプ電圧」と呼称する）Ｌ５を印加する。このとき、本実施の形態では、下り消去ランプ電圧Ｌ５の勾配を、初期化期間に発生させる下りランプ電圧Ｌ２および後述する下りランプ電圧Ｌ４よりも緩やかな勾配（例えば、約−１Ｖ／μｓｅｃ）とする。
【００４７】
この下り消去ランプ電圧Ｌ５を走査電極ＳＣ１〜走査電極ＳＣｎに印加する間に、書込み放電が発生せず維持放電が発生しなかった非点灯の放電セルで、かつ走査電極２２上に不要な負の壁電荷が蓄積した放電セルにおいて、走査電極２２とデータ電極３２との間で微弱な消去放電が起こる。そして、この微弱な放電は、走査電極ＳＣ１〜走査電極ＳＣｎへの印加電圧が下降する期間、持続して発生する。そして、下降する電圧があらかじめ定めた電圧Ｖｉ４に到達したら、走査電極ＳＣ１〜走査電極ＳＣｎに印加する電圧を０（Ｖ）まで上昇させる。
【００４８】
このとき、この微弱な消去放電で発生した荷電粒子（プライミング粒子）は、走査電極２２とデータ電極３２との間の電圧差を緩和するように、走査電極２２上およびデータ電極３２上に蓄積されていく。これにより、放電セル内に蓄積された不要な負の壁電荷が消去される。すなわち、下り消去ランプ電圧Ｌ５により発生する放電は、不要な負の壁電荷を消去する消去放電として働く。
【００４９】
非点灯の放電セルにおいて、走査電極２２上に不要な負の壁電荷が蓄積することがあるのは、次のような理由によると考えられる。初期化放電後、書込み放電および維持放電が発生しなかった非点灯の放電セルは、その後、書込み放電が発生するまで放電が発生しない。しかし、維持放電が発生しない非点灯の放電セルであっても、表示電極対２４に維持パルスは印加される。そのため、非点灯の放電セルでは、隣接する放電セルに維持放電が発生すると、その維持放電によって生じた荷電粒子（プライミング粒子）の一部が、表示電極対２４に印加される維持パルス電圧によって、非点灯の放電セル内に移動していく。特に、走査電極２２に印加される維持パルス電圧によって、走査電極２２上に引き付けられていく。そして、移動してきたプライミング粒子は非点灯の放電セルの走査電極２２上に不要な負の壁電荷として蓄積していく。このようにして、非点灯の放電セルの走査電極２２上に不要な負の壁電荷が蓄積すると考えられる。
【００５０】
また、このプライミング粒子の移動、およびこれにより生じる不要な負の壁電荷の蓄積は、パネルの高精細化にともない微細化が進んだ放電セルで発生しやすい。そして、放電セル内に不要な負の壁電荷が蓄積する量は、隣接する２つの放電セルの一方の放電セルでは維持放電が発生し、他方の放電セルでは維持放電が発生しない期間が長くなるほど多くなる。すなわち、不要な負の壁電荷の蓄積は、輝度重みが大きく維持パルスの発生数が大きいサブフィールドで、より発生しやすい。
【００５１】
そして、そのような不要な負の壁電荷が過剰に蓄積すると、初期化期間に後述する下りランプ電圧Ｌ４を走査電極ＳＣ１〜走査電極ＳＣｎに印加する間に、異常な放電を発生させる場合があることが確認された。この異常な放電は、壁電圧を、正常な初期化放電が発生したときとは異なる状態にしてしまい、さらに、不要なプライミング粒子も発生させる。そのため、書込み放電を発生させるべきでないサブフィールドで誤った書込み放電が発生し、画像表示品質を劣化させてしまうおそれがある。
【００５２】
しかし、本実施の形態では、書込み放電および維持放電が発生しなかった非点灯の放電セルで、かつ走査電極２２上に不要な負の壁電荷が蓄積した放電セルにおいて、下り消去ランプ電圧Ｌ５により走査電極２２とデータ電極３２との間に微弱な放電を発生させ、放電セル内に蓄積された不要な負の壁電荷を消去することができる。これにより、誤放電の種となる不要な壁電荷を除去できるので、書込み放電を発生させるべきでないサブフィールドで誤放電が発生することを防止し、画像表示品質の劣化を防止することができる。
【００５３】
なお、上述したように、維持パルスを維持電極２３に印加することで発生する維持放電では、維持電極ＳＵｉ上に負の壁電荷が蓄積し、走査電極ＳＣｉ上に正の壁電荷が蓄積する。したがって、維持期間における最終の維持パルスを維持電極ＳＵ１〜維持電極ＳＵｎに印加する本実施の形態に示す構成では、書込み放電が発生した放電セルにおいて、最終の維持パルスを発生した後に、維持電極ＳＵｉ上に負の壁電荷が蓄積し、走査電極ＳＣｉ上に正の壁電荷が蓄積する。そのため、本実施の形態において書込み放電が発生し維持放電が発生した放電セルでは、０（Ｖ）から負の電圧Ｖｉ４に向かって下降する下り消去ランプ電圧Ｌ５を走査電極ＳＣ１〜走査電極ＳＣｎに印加しても、上述した消去放電は発生しない。
【００５４】
また、書込み放電および維持放電が発生しなかった非点灯の放電セルであっても、走査電極２２上に不要な負の壁電荷が蓄積していない放電セルでは、それ以前の初期化放電終了時点の正常な壁電荷の状態がほぼ維持されている。そのため、電圧Ｖｉ４を最適に設定してれば、下り消去ランプ電圧Ｌ５を走査電極ＳＣ１〜走査電極ＳＣｎに印加しても、走査電極２２とデータ電極３２との間の電位差は放電開始電圧を超えない。すなわち、上述した消去放電は発生しない。あるいは、走査電極２２上に不要な負の壁電荷が蓄積したとしても、それが微小な量に過ぎず、誤放電を発生させるおそれが低い放電セルでは、同様に、下り消去ランプ電圧Ｌ５による消去放電は発生しない。
【００５５】
すなわち、本実施の形態においては、０（Ｖ）から負の電圧Ｖｉ４に向かって下降する下り消去ランプ電圧Ｌ５を発生させて走査電極ＳＣ１〜走査電極ＳＣｎに印加する構成とすることで、書込み放電および維持放電が発生しなかった非点灯の放電セルで、かつ走査電極２２上に不要な負の壁電荷が蓄積した放電セルにおいてのみ、下り消去ランプ電圧Ｌ５による消去放電を発生させることができる。
【００５６】
なお、下りランプ電圧Ｌ２および後述する下りランプ電圧Ｌ４は、勾配を緩やかにすることで上述した異常な放電の発生を低減できるが、勾配を緩やかにしすぎると壁電圧を調整するという本来の効果が弱められることが確認された。そこで、本実施の形態では、下りランプ電圧Ｌ２および後述する下りランプ電圧Ｌ４を、例えば−２．５Ｖ／μｓｅｃの勾配で発生させるものとする。
【００５７】
そして、下り消去ランプ電圧Ｌ５は、勾配を緩やかにするほど、誤放電の種となる不要な壁電荷を除去し、上述した異常な放電の発生を低減する効果が高められることが確認された。そこで、本実施の形態では、下り消去ランプ電圧Ｌ５を−２．５Ｖ／μｓｅｃ未満の勾配で発生させるものとする。しかし、下り消去ランプ電圧Ｌ５の勾配を緩やかにするほど上述した効果は徐々に飽和していくことも確認された。また、下り消去ランプ電圧Ｌ５の勾配を緩やかにするほど下り消去ランプ電圧Ｌ５の発生に費やす時間が増大していく。そのため、実用的には、下り消去ランプ電圧Ｌ５の勾配は−０．５Ｖ／μｓｅｃ以上であることが望ましい。
【００５８】
これらのことから、本実施の形態では、下り消去ランプ電圧Ｌ５の勾配を、−０．５Ｖ／μｓｅｃ以上−２．５Ｖ／μｓｅｃ未満の範囲で、下りランプ電圧Ｌ２および後述する下りランプ電圧Ｌ４よりも緩やかな勾配に設定するものとする。例えば、本実施の形態では、下り消去ランプ電圧Ｌ５の勾配を、−１Ｖ／μｓｅｃに設定するものとする。
【００５９】
そして、維持期間の最後には、すなわち、走査電極ＳＣ１〜走査電極ＳＣｎへの下り消去ランプ電圧Ｌ５の印加終了後には、走査電極ＳＣ１〜走査電極ＳＣｎに、０（Ｖ）から電圧Ｖｅｒｓに向かって緩やかに上昇する上り傾斜電圧（以下、「上り消去ランプ電圧」と呼称する）Ｌ３を印加する。このとき、電圧Ｖｅｒｓは放電開始電圧を超える電圧とする。これにより、維持放電を発生させた放電セルにおいて、微弱な放電を持続して発生させ、データ電極Ｄｋ上の正の壁電圧を残したまま、走査電極ＳＣｉおよび維持電極ＳＵｉ上の壁電圧の一部または全部を消去する。
【００６０】
具体的には、０（Ｖ）から放電開始電圧を超える電圧Ｖｅｒｓに向かって上昇する上り消去ランプ電圧Ｌ３を、上りランプ電圧Ｌ１よりも急峻な勾配（例えば、約１０Ｖ／μｓｅｃ）で発生させ、走査電極ＳＣ１〜走査電極ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜走査電極ＳＣｎへの印加電圧が上昇する期間、持続して発生する。そして、上昇する電圧があらかじめ定めた電圧Ｖｅｒｓに到達したら、走査電極ＳＣ１〜走査電極ＳＣｎに印加する電圧をベース電位となる０（Ｖ）まで下降させる。
【００６１】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、例えば（電圧Ｖｅｒｓ−放電開始電圧）の程度まで弱められる。すなわち、上り消去ランプ電圧Ｌ３により発生する放電は、消去放電として働く。
【００６２】
その後、走査電極ＳＣ１〜走査電極ＳＣｎを０（Ｖ）に戻し、維持期間における維持動作が終了する。
【００６３】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を印加し、データ電極Ｄ１〜データ電極Ｄｍに０（Ｖ）を印加する。そして、走査電極ＳＣ１〜走査電極ＳＣｎには、放電開始電圧未満の電圧（例えば、０（Ｖ））から放電開始電圧を超える負の電圧Ｖｉ４に向かって、下りランプ電圧Ｌ２と同じ勾配（例えば、約−２．５Ｖ／μｓｅｃ）で下降する第１の下り傾斜電圧である下りランプ電圧Ｌ４を印加する。なお、本実施の形態においては、下りランプ電圧Ｌ２と下りランプ電圧Ｌ４とは、勾配および最低電圧が互いに等しい。そこで、下りランプ電圧Ｌ２も第１の下り傾斜電圧に含めるものとする。
【００６４】
これにより直前のサブフィールド（図３では、第１ＳＦ）の維持期間で維持放電を起こした放電セルでは微弱な初期化放電が発生する。そして、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルでは初期化放電は発生しない。
【００６５】
このように、第２ＳＦにおける初期化動作は、直前のサブフィールドの維持期間に維持動作を行った放電セルに対して初期化放電を行う選択初期化動作となる。
【００６６】
なお、本実施の形態においては、上述したように、下り消去ランプ電圧Ｌ５により発生させる消去放電によって、非点灯の放電セルにおいて、誤放電の種となる不要な負の壁電荷を除去することができる。したがって、下りランプ電圧Ｌ４を走査電極ＳＣ１〜走査電極ＳＣｎに印加するときに、上述した異常な放電が発生するのを防止し、書込み放電を発生させるべきでないサブフィールドで誤った書込み放電が発生するのを低減することができる。
【００６７】
第２ＳＦの書込み期間では、走査電極ＳＣ１〜走査電極ＳＣｎ、維持電極ＳＵ１〜維持電極ＳＵｎおよびデータ電極Ｄ１〜データ電極Ｄｍに対して、第１ＳＦの書込み期間と同様の駆動波形を印加する。
【００６８】
第２ＳＦの維持期間では、第１ＳＦの維持期間と同様に、走査電極ＳＣ１〜走査電極ＳＣｎと維持電極ＳＵ１〜維持電極ＳＵｎとにあらかじめ定められた数の維持パルスを交互に印加する。これにより、書込み期間において書込み放電を発生させた放電セルで維持放電を発生させる。そして、維持パルスの印加後には、第１ＳＦの維持期間と同様に、走査電極ＳＣ１〜走査電極ＳＣｎに下り消去ランプ電圧Ｌ５を印加して、維持放電が発生しなかった非点灯の放電セルで、かつ走査電極２２上に不要な負の壁電荷が蓄積した放電セルに消去放電を発生させる。その後、走査電極ＳＣ１〜走査電極ＳＣｎに上り消去ランプ電圧Ｌ３を印加して、維持放電を発生させた放電セルに消去放電を発生させる。
【００６９】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルスの発生数が異なる以外は第２ＳＦと同様の駆動波形を印加する。
【００７０】
以上が、パネル１０の各電極に印加する駆動電圧波形の概要である。
【００７１】
次に、本実施の形態におけるプラズマディスプレイ装置の構成について説明する。図４は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、制御信号発生回路４５および各回路ブロックに必要な電力を供給する電源回路（図示せず）を備えている。
【００７２】
画像信号処理回路４１は、放電セルを画像信号ｓｉｇの階調値に応じた明るさで発光させるために、パネル１０の放電セル数に応じて、入力された画像信号ｓｉｇをサブフィールド毎の発光・非発光を示すサブフィールドデータに変換する。
【００７３】
制御信号発生回路４５は、水平同期信号Ｈおよび垂直同期信号Ｖにもとづき各回路ブロックの動作を制御する各種の制御信号を発生し、それぞれの回路ブロック（画像信号処理回路４１、データ電極駆動回路４２、走査電極駆動回路４３および維持電極駆動回路４４）へ供給する。
【００７４】
データ電極駆動回路４２は、サブフィールド毎のサブフィールドデータを各データ電極Ｄ１〜データ電極Ｄｍに対応する信号に変換する。そして、制御信号発生回路４５から供給される制御信号にもとづいて各データ電極Ｄ１〜データ電極Ｄｍを駆動する。
【００７５】
走査電極駆動回路４３は、初期化波形発生回路と、維持パルス発生回路と、走査パルス発生回路とを有する。初期化波形発生回路は、初期化期間において走査電極ＳＣ１〜走査電極ＳＣｎに印加する初期化波形を発生する。維持パルス発生回路は、維持期間において走査電極ＳＣ１〜走査電極ＳＣｎに印加する維持パルスを発生する。走査パルス発生回路は、複数の走査電極駆動ＩＣ（以下、「走査ＩＣ」と略記する）を備え、書込み期間において走査電極ＳＣ１〜走査電極ＳＣｎに印加する走査パルスを発生する。そして、走査電極駆動回路４３は、制御信号発生回路４５から供給される制御信号にもとづいて各走査電極ＳＣ１〜走査電極ＳＣｎをそれぞれ駆動する。
【００７６】
維持電極駆動回路４４は、維持パルス発生回路および電圧Ｖｅ１、電圧Ｖｅ２を発生するための回路（図示せず）を備えている。そして、制御信号発生回路４５から供給される制御信号にもとづいて維持電極ＳＵ１〜維持電極ＳＵｎを駆動する。
【００７７】
次に、走査電極駆動回路４３の詳細とその動作について説明する。
【００７８】
図５は、本発明の実施の形態１におけるプラズマディスプレイ装置１の走査電極駆動回路４３の一構成例を示す回路図である。走査電極駆動回路４３は、維持パルスを発生する維持パルス発生回路５０と、初期化波形を発生する初期化波形発生回路５１と、走査パルスを発生する走査パルス発生回路５２とを備える。そして、走査パルス発生回路５２の各出力端子は、パネル１０の走査電極ＳＣ１〜走査電極ＳＣｎのそれぞれに接続されている。なお、本実施の形態では、走査パルス発生回路５２に入力される電圧を「基準電位Ａ」と記す。また、以下の説明においては、スイッチング素子を導通させる動作を「オン」と表記し、遮断させる動作を「オフ」と表記する。また、スイッチング素子をオンさせる信号を「Ｈｉ」と表記し、オフさせる信号を「Ｌｏ」と表記する。
【００７９】
また、図５には、負の電圧Ｖａを用いた回路（例えば、ミラー積分回路５４）を動作させているときに、その回路と、維持パルス発生回路５０、電圧Ｖｒを用いた回路（例えば、ミラー積分回路５３）、および電圧Ｖｅｒｓを用いた回路（例えば、ミラー積分回路５５）とを電気的に分離するためのスイッチング素子Ｑ４を用いた分離回路を示している。また、電圧Ｖｒを用いた回路（例えば、ミラー積分回路５３）を動作させているときに、その回路と、電圧Ｖｒよりも低い電圧の電圧Ｖｅｒｓを用いた回路（例えば、ミラー積分回路５５）とを電気的に分離するためのスイッチング素子Ｑ６を用いた分離回路を示している。
【００８０】
維持パルス発生回路５０は、一般に用いられている電力回収回路（図示せず）とクランプ回路（図示せず）とを備える。そして、制御信号発生回路４５から出力される制御信号にもとづき、維持パルス発生回路５０の内部に備えた各スイッチング素子を切換えて維持パルスを発生させる。なお、図５では、制御信号の信号経路の詳細は省略する。
【００８１】
走査パルス発生回路５２は、ｎ本の走査電極ＳＣ１〜走査電極ＳＣｎのそれぞれに走査パルス電圧を印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。
【００８２】
また、走査パルス発生回路５２は、書込み期間において基準電位Ａを負の電圧Ｖａに接続するためのスイッチング素子Ｑ５と、電圧Ｖｓｃを発生し基準電位Ａに電圧Ｖｓｃを重畳する電源ＶＳＣと、基準電位Ａに電圧Ｖｓｃを重畳して発生させた電圧Ｖｃを入力端子ＩＮｂに印加するためのダイオードＤ３１およびコンデンサＣ３１とを備えている。そして、スイッチング素子ＱＨ１〜スイッチング素子ＱＨｎの入力端子ＩＮｂには電圧Ｖｃを入力し、スイッチング素子ＱＬ１〜スイッチング素子ＱＬｎの入力端子ＩＮａには基準電位Ａを入力する。
【００８３】
このように構成された走査パルス発生回路５２では、書込み期間においては、スイッチング素子Ｑ５をオンにして基準電位Ａを負の電圧Ｖａに等しくする。そして、入力端子ＩＮａには負の電圧Ｖａを入力し、入力端子ＩＮｂには負の電圧Ｖａ＋電圧Ｖｓｃとなる電圧Ｖｃを入力する。そして、サブフィールドデータにもとづき、走査パルスを印加する走査電極ＳＣｉに対しては、スイッチング素子ＱＨｉをオフ、スイッチング素子ＱＬｉをオンにして、スイッチング素子ＱＬｉを経由して走査電極ＳＣｉに負の走査パルス電圧Ｖａを印加する。一方、走査パルスを印加しない走査電極ＳＣｈ（ｈは、１〜ｎのうちｉを除いたもの）に対しては、スイッチング素子ＱＬｈをオフ、スイッチング素子ＱＨｈをオンにして、スイッチング素子ＱＨｈを経由して走査電極ＳＣｈに電圧Ｖａ＋電圧Ｖｓｃを印加する。
【００８４】
なお、走査パルス発生回路５２は、初期化期間では初期化波形発生回路５１の電圧波形を出力し、維持期間では維持パルス発生回路５０の電圧波形を出力するように、制御信号発生回路４５によって制御されるものとする。
【００８５】
初期化波形発生回路５１は、ミラー積分回路５３と、ミラー積分回路５４と、ミラー積分回路５５と、定電流発生回路６１とを有する。なお、ミラー積分回路５３およびミラー積分回路５５は、上昇する傾斜電圧を発生する傾斜電圧発生回路である。また、ミラー積分回路５４は、下降する傾斜電圧を発生する傾斜電圧発生回路である。また、図５には、ミラー積分回路５３の入力端子を入力端子ＩＮ１とし、ミラー積分回路５５の入力端子を入力端子ＩＮ３とし、定電流発生回路６１の入力端子を入力端子ＩＮ２として示している。
【００８６】
ミラー積分回路５３は、スイッチング素子Ｑ１とコンデンサＣ１と抵抗Ｒ１とコンデンサＣ１に直列に接続されたツェナーダイオードＤ１０とを有する。そして、初期化動作時に、走査電極駆動回路４３の基準電位Ａをランプ状の緩やかな勾配（例えば、１．３Ｖ／μｓｅｃ）で電圧Ｖｉ２まで上昇させて上りランプ電圧Ｌ１を発生させる。なお、ツェナーダイオードＤ１０は、全セル初期化動作時（ここでは、第１ＳＦの初期化期間）に、電圧Ｖｓｃに積み上げ電圧であるツェナー電圧（例えば、４５（Ｖ））を重畳して電圧Ｖｉ１を発生させる働きを有する。すなわち、ツェナーダイオードＤ１０は、上りランプ電圧Ｌ１の開始電圧（傾斜電圧の上昇が開始される電圧）を電圧Ｖｉ１にする働きを有する。
【００８７】
ミラー積分回路５５は、スイッチング素子Ｑ３とコンデンサＣ３と抵抗Ｒ３とを有する。そして、維持期間の最後、すなわち、下り消去ランプ電圧Ｌ５の発生後に、基準電位Ａを上りランプ電圧Ｌ１よりも急峻な勾配（例えば、１０Ｖ／μｓｅｃ）で電圧Ｖｅｒｓまで上昇させて上り消去ランプ電圧Ｌ３を発生させる。
【００８８】
ミラー積分回路５４は、スイッチング素子Ｑ２とコンデンサＣ２と抵抗Ｒ２とを有する。そして、初期化動作時においては、基準電位Ａをランプ状の緩やかな勾配（例えば、−２．５Ｖ／μｓｅｃ）で電圧Ｖｉ４まで下降させて下りランプ電圧Ｌ２および下りランプ電圧Ｌ４を発生させる。また、維持期間における維持パルスの発生後には、基準電位Ａを下りランプ電圧Ｌ２および下りランプ電圧Ｌ４よりも緩やかな勾配（例えば、−１Ｖ／μｓｅｃの勾配）で電圧Ｖｉ４まで下降させて下り消去ランプ電圧Ｌ５を発生させる。
【００８９】
定電流発生回路６１は、トランジスタＱ９と、抵抗Ｒ９と、ツェナーダイオードＤ９と、抵抗Ｒ１２とを有する。トランジスタＱ９は、入力端子ＩＮ２にコレクタが接続されている。抵抗Ｒ９は、入力端子ＩＮ２とトランジスタＱ９のベースとの間に挿入されている。ツェナーダイオードＤ９は、抵抗Ｒ９にカソードが接続され、抵抗Ｒ２にアノードが接続されている。抵抗Ｒ１２は、トランジスタＱ９のエミッタと抵抗Ｒ２との間に直列に接続されている。そして、定電流発生回路６１は、入力端子ＩＮ２に所定の電圧（例えば、５（Ｖ））を印加することで、定電流を発生する。この定電流はミラー積分回路５４に入力される。ミラー積分回路５４は、この定電流が入力される期間、基準電位Ａの電位をランプ状に下降させる。
【００９０】
ここで、本実施の形態における初期化波形発生回路５１は、スイッチング素子Ｑ２１を備えた構成とする。スイッチング素子Ｑ２１は、ゲートを入力端子ＩＮ４とする。スイッチング素子Ｑ２１は、入力端子ＩＮ４に印加する制御信号が「Ｈｉ」（例えば、５（Ｖ））のときにオンになり、「Ｌｏ」（例えば、０（Ｖ））のときにオフになる。そして、定電流発生回路６１は、抵抗Ｒ１３を備えている。抵抗Ｒ１３は、スイッチング素子Ｑ２１のスイッチング操作により、定電流発生回路６１が出力する定電流の電流値を変更する働きを有する。具体的には、抵抗Ｒ１３の一方の端子を抵抗Ｒ１２とトランジスタＱ９との接続点に接続し、他方の端子をスイッチング素子Ｑ２１のドレインに接続する。そして、スイッチング素子Ｑ２１のソースを抵抗Ｒ１２と抵抗Ｒ２との接続点に接続する。これにより、スイッチング素子Ｑ２１をオンにすると、抵抗Ｒ１２と抵抗Ｒ１３とが電気的に並列に接続される。したがって、スイッチング素子Ｑ２１がオフのときよりも定電流発生回路６１から出力される定電流の電流値を大きくし、ミラー積分回路５４から出力される傾斜電圧の勾配を大きくすることができる。
【００９１】
これにより、本実施の形態におけるミラー積分回路５４は、勾配が異なる２つの傾斜電圧、すなわち初期化動作時の下りランプ電圧Ｌ２および下りランプ電圧Ｌ４と、維持期間において維持パルスの発生後に発生させる下り消去ランプ電圧Ｌ５とを発生させることができる。
【００９２】
次に、第１の下り傾斜電圧である下りランプ電圧Ｌ２を発生させる動作と、下りランプ電圧Ｌ２および下りランプ電圧Ｌ４よりも緩やかな勾配で下降する第２の下り傾斜電圧である下り消去ランプ電圧Ｌ５を発生させる動作とを図６を用いて説明する。
【００９３】
図６は、本発明の実施の形態１における全セル初期化期間の走査電極駆動回路４３の動作の一例を説明するためのタイミングチャートである。なお、この図面では全セル初期化動作時の駆動波形を例にして説明するが、選択初期化動作において下りランプ電圧Ｌ４を発生させる動作は、図６に説明する下りランプ電圧Ｌ２を発生させる動作と同様であるものとする。
【００９４】
また、図６では、維持期間の最後の駆動波形を期間Ｔ１〜期間Ｔ３で示した３つの期間に分割し、全セル初期化動作を行う駆動波形を期間Ｔ１１〜期間Ｔ１４で示した４つの期間に分割して、それぞれの期間について説明する。また、電圧Ｖｉ３は電圧Ｖｓに等しいものとし、電圧Ｖｉ２は電圧Ｖｓｃ＋電圧Ｖｒに等しいものとし、電圧Ｖｉ４は負の電圧Ｖａに等しいものとして説明する。また、図面にはスイッチング素子をオンさせる信号を「Ｈｉ」、オフさせる信号を「Ｌｏ」と表記する。
【００９５】
以下、維持期間の維持パルス発生後に下り消去ランプ電圧Ｌ５を発生させ、その後、上り消去ランプ電圧Ｌ３を発生させる際の動作について説明する。
【００９６】
まず、期間Ｔ１に入る前に維持パルス発生回路５０のクランプ回路を動作させて基準電位Ａを０（Ｖ）にする。そして、スイッチング素子ＱＨ１〜スイッチング素子ＱＨｎをオフ、スイッチング素子ＱＬ１〜スイッチング素子ＱＬｎをオンにして、基準電位Ａ（このとき、０（Ｖ））を走査電極ＳＣ１〜走査電極ＳＣｎに印加する（図示せず）。
【００９７】
（期間Ｔ１）
期間Ｔ１では、入力端子ＩＮ４を「Ｌｏ」にしてスイッチング素子Ｑ２１をオフにし、抵抗Ｒ１３を電気的に開放された状態にする。あわせて、入力端子ＩＮ２を「Ｈｉ」にして、定電流発生回路６１の動作を開始させる。これにより、コンデンサＣ２に向かって一定の電流が流れ、スイッチング素子Ｑ２のドレイン電圧が負の電圧Ｖｉ４（本実施の形態では、電圧Ｖａに等しい）に向かってランプ状に下降し、走査電極駆動回路４３の出力電圧も負の電圧Ｖｉ４に向かってランプ状に下降し始める。このとき、傾斜電圧の勾配が所望の値（例えば、−１Ｖ／μｓｅｃ）になるように、抵抗Ｒ１２の抵抗値をあらかじめ設定しておく。
【００９８】
この電圧下降は、入力端子ＩＮ２を「Ｈｉ」にしている期間、もしくは、基準電位Ａが電圧Ｖａに到達するまで、継続させることができる。そして、本実施の形態では、走査電極駆動回路４３の出力電圧が負の電圧Ｖｉ４（本実施の形態では、電圧Ｖａに等しい）に到達したら、入力端子ＩＮ２に、例えば０（Ｖ）を印加して、入力端子ＩＮ２を「Ｌｏ」にする。このようにして、本実施の形態では、電圧Ｖｉ４まで下降する下り消去ランプ電圧Ｌ５を、維持期間における全ての維持パルスを発生させた後に発生させ、走査電極ＳＣ１〜走査電極ＳＣｎに印加する。
【００９９】
この下り消去ランプ電圧Ｌ５が下降する間に、維持放電が発生しなかった非点灯の放電セルで、かつ走査電極２２上に不要な負の壁電荷が蓄積した放電セルにおいて、走査電極２２とデータ電極３２との間の電圧差は放電開始電圧を超える。これにより、その走査電極２２とデータ電極３２との間に微弱な放電が発生する。そして、この微弱な放電は、下り消去ランプ電圧Ｌ５が下降する期間、継続する。
【０１００】
（期間Ｔ２）
期間Ｔ２では、上り消去ランプ電圧Ｌ３を発生するミラー積分回路５５の入力端子ＩＮ３を「Ｈｉ」にする。具体的には入力端子ＩＮ３に、所定の定電流を入力する。これにより、コンデンサＣ３に向かって一定の電流が流れ、スイッチング素子Ｑ３のソース電圧がランプ状に上昇し、走査電極駆動回路４３の出力電圧は、ランプ状に上昇し始める。このとき、傾斜電圧の勾配が所望の値（例えば、１０Ｖ／μｓｅｃ）になるように、入力端子ＩＮ３に入力する定電流を発生させる。こうして、０（Ｖ）から電圧Ｖｅｒｓ（本実施の形態では、電圧Ｖｓに等しい）に向かって上昇する上り消去ランプ電圧Ｌ３を発生させ、走査電極ＳＣ１〜走査電極ＳＣｎに印加する。なお、この電圧上昇は、入力端子ＩＮ３を「Ｈｉ」にしている期間、もしくは、基準電位Ａが電圧Ｖｅｒｓに到達するまで、継続させることができる。
【０１０１】
この上り消去ランプ電圧Ｌ３が上昇する間に、走査電極ＳＣｉと維持電極ＳＵｉとの間の電圧差は放電開始電圧を超える。これにより、走査電極ＳＣｉと維持電極ＳＵｉとの間に微弱な放電が発生する。そして、この微弱な放電は、上り消去ランプ電圧Ｌ３が上昇する期間、継続する。
【０１０２】
なお、図面には示していないが、このときデータ電極Ｄ１〜データ電極Ｄｍは０（Ｖ）に保持されているので、データ電極Ｄｋ上には正の壁電圧が形成される。
【０１０３】
（期間Ｔ３）
期間Ｔ３では、維持パルス発生回路５０のクランプ回路を動作させて基準電位Ａを０（Ｖ）にし、続く全セル初期化動作に備える。
【０１０４】
次に、全セル初期化期間に初期化波形電圧を発生させる際の動作について説明する。
【０１０５】
（期間Ｔ１１）
期間Ｔ１１では、スイッチング素子ＱＨ１〜スイッチング素子ＱＨｎをオンにし、スイッチング素子ＱＬ１〜スイッチング素子ＱＬｎをオフにする。これにより、基準電位Ａ（このとき、０（Ｖ））に電圧Ｖｓｃを重畳した電圧Ｖｃ（すなわち、電圧Ｖｃ＝電圧Ｖｓｃ）を、走査電極ＳＣ１〜走査電極ＳＣｎに印加する。
【０１０６】
（期間Ｔ１２）
次に、上りランプ電圧Ｌ１を発生するミラー積分回路５３の入力端子ＩＮ１を「Ｈｉ」にする。具体的には入力端子ＩＮ１に、所定の定電流を入力する。ミラー積分回路５３の動作開始直後のスイッチング素子Ｑ１のソース電圧は、基準電位Ａ（０（Ｖ））に、ツェナーダイオードＤ１０のツェナー電圧Ｖｚを加算した電圧Ｖｚになっている。したがって、走査電極駆動回路４３の出力電圧は、電圧Ｖｓｃから電圧ＶｓｃにツェナーダイオードＤ１０のツェナー電圧Ｖｚを重畳した電圧Ｖｉ１まで急峻に増加する。
【０１０７】
その後、コンデンサＣ１に向かって一定の電流が流れ、スイッチング素子Ｑ１のソース電圧は電圧Ｖｉ１からランプ状に上昇し、走査電極駆動回路４３の出力電圧は、ランプ状に上昇し始める。このとき、傾斜電圧の勾配が所望の値（例えば、１．３Ｖ／μｓｅｃ）になるように、入力端子ＩＮ１に入力する定電流を発生させる。こうして、電圧Ｖｉ１から電圧Ｖｉ２（本実施の形態では、電圧Ｖｓｃ＋電圧Ｖｒに等しい）に向かって上昇する上りランプ電圧Ｌ１を発生させ、走査電極ＳＣ１〜走査電極ＳＣｎに印加する。なお、この電圧上昇は、入力端子ＩＮ１を「Ｈｉ」にしている期間、もしくは、基準電位Ａが電圧Ｖｒに到達するまで、継続させることができる。
【０１０８】
期間Ｔ１２では、このようにして、電圧Ｖｉ１から放電開始電圧を超える電圧Ｖｉ２（本実施の形態では、電圧Ｖｓに等しい）に向かって緩やかに上昇する上りランプ電圧Ｌ１を発生させる。
【０１０９】
（期間Ｔ１３）
期間Ｔ１３では入力端子ＩＮ１を「Ｌｏ」にし、ミラー積分回路５３の動作を停止する。また、スイッチング素子ＱＨ１〜スイッチング素子ＱＨｎをオフ、スイッチング素子ＱＬ１〜スイッチング素子ＱＬｎをオンにして、基準電位Ａを走査電極ＳＣ１〜走査電極ＳＣｎに印加する。あわせて、維持パルス発生回路５０のクランプ回路を動作させて基準電位Ａを電圧Ｖｓにする。これにより、走査電極ＳＣ１〜走査電極ＳＣｎの電圧は電圧Ｖｉ３（本実施の形態では、電圧Ｖｓに等しい）まで低下する。
【０１１０】
（期間Ｔ１４）
期間Ｔ１４では、入力端子ＩＮ４を「Ｈｉ」にしてスイッチング素子Ｑ２１をオンにし、抵抗Ｒ１２と抵抗Ｒ１３とが電気的に並列に接続された状態にする。あわせて、入力端子ＩＮ２を「Ｈｉ」にして、定電流発生回路６１の動作を開始させる。これにより、定電流発生回路６１から出力される定電流の電流値は期間Ｔ１よりも大きくなる。そして、定電流発生回路６１からコンデンサＣ２に向かって一定の電流が流れ、スイッチング素子Ｑ２のドレイン電圧が負の電圧Ｖｉ４（本実施の形態では、電圧Ｖａに等しい）に向かってランプ状に下降し、走査電極駆動回路４３の出力電圧は、下り消去ランプ電圧Ｌ５よりも急峻な勾配で負の電圧Ｖｉ４に向かってランプ状に下降し始める。このとき、傾斜電圧の勾配が所望の値（例えば、−２．５Ｖ／μｓｅｃ）になるように、抵抗Ｒ１２と抵抗Ｒ１３の合成抵抗の抵抗値をあらかじめ設定しておく。
【０１１１】
なお、この電圧下降は、入力端子ＩＮ２を「Ｈｉ」にしている期間、もしくは、基準電位Ａが電圧Ｖａに到達するまで、継続させることができる。そして、本実施の形態では、走査電極駆動回路４３の出力電圧が負の電圧Ｖｉ４（本実施の形態では、電圧Ｖａに等しい）に到達したら入力端子ＩＮ２を「Ｌｏ」にする。このようにして下りランプ電圧Ｌ２（または、下りランプ電圧Ｌ４）を発生し、走査電極ＳＣ１〜走査電極ＳＣｎに印加する。
【０１１２】
以上のようにして、走査電極駆動回路４３は、第２の下り傾斜電圧である下り消去ランプ電圧Ｌ５と、上り消去ランプ電圧Ｌ３と、上りランプ電圧Ｌ１と、第１の下り傾斜電圧である下りランプ電圧Ｌ２および下りランプ電圧Ｌ４とを発生させる。
【０１１３】
なお、下りランプ電圧Ｌ２、下りランプ電圧Ｌ４および下り消去ランプ電圧Ｌ５は、図６に示すように電圧Ｖａまで下降させる構成であってもよいが、例えば、下降する電圧が、電圧Ｖａに所定の正の電圧Ｖｓｅｔ２を重畳した電圧に到達した時点で、下降を停止させる構成としてもよい。また、下りランプ電圧Ｌ２、下りランプ電圧Ｌ４および下り消去ランプ電圧Ｌ５は、あらかじめ設定された電圧に到達した後、直ちに上昇させる構成であってもよいが、例えば、下降する電圧が、あらかじめ設定された低電圧に到達したら、その後、その電圧を一定期間維持する構成であってもよい。
【０１１４】
以上説明したように、本実施の形態では、維持期間において、維持パルスを表示電極対に印加し終わった後に、下りランプ電圧Ｌ２および下りランプ電圧Ｌ４よりも勾配を緩やかにした下り消去ランプ電圧Ｌ５を走査電極ＳＣ１〜走査電極ＳＣｎに印加する。そして、維持放電が発生しなかった非点灯の放電セルで、かつ走査電極２２上に不要な負の壁電荷が蓄積した放電セルに消去放電を発生させる。こうすることで、維持放電が発生しなかった非点灯の放電セルに蓄積された不要な負の壁電荷を除去し、続くサブフィールドの書込み時に異常な書込み放電が発生するのを防止して、画像表示品質の劣化を防止することができる。
【０１１５】
なお、本実施の形態によれば、書込み期間において、安定した書込み放電を発生させるために必要な走査パルス電圧（振幅）を低減できる効果を得られることも確認された。図７は、本発明の実施の形態１における書込みパルス電圧Ｖｄと走査パルス電圧（振幅）との関係を示す特性図である。図７において、横軸は書込みパルス電圧Ｖｄを表し、縦軸は安定した書込み放電を発生させるために必要な走査パルス電圧（振幅）を表す。また、図７において、実線は、本実施の形態に示した方法でパネル駆動を行ったときに得られた測定結果を示し、破線は、下り消去ランプ電圧Ｌ５の代わりに０（Ｖ）を走査電極ＳＣ１〜走査電極ＳＣｎに印加したときに得られた測定結果を示す。そして、図７に示すように、例えば、書込みパルス電圧Ｖｄを１７０（Ｖ）にしたときには、本実施の形態に示した方法でパネル駆動を行うことで、安定した書込み放電を発生させるために必要な走査パルス電圧（振幅）を、約１９（Ｖ）も低減できることが確認された。すなわち、本実施の形態によれば、高精細化されたパネルにおいても、書込み放電を発生させるために必要な電圧を高くすることなく、安定に書込み放電を発生させることが可能となる。
【０１１６】
なお、本実施の形態では、全てのサブフィールドで下り消去ランプ電圧Ｌ５を走査電極ＳＣ１〜走査電極ＳＣｎに印加する構成を説明したが、本発明は必ずしもこの構成に限定されるものではない。例えば、非点灯の放電セルに不要な負の壁電荷の蓄積が発生しやすい輝度重みの大きいサブフィールドにおいてのみ、下り消去ランプ電圧Ｌ５を発生させる構成であってもよい。例えば、１フィールドを８つのサブフィールド（第１ＳＦ、第２ＳＦ、・・・、第８ＳＦ）で構成し、各サブフィールドがそれぞれ１、２、４、８、１６、３２、６４、１２８の輝度重みを有する構成であれば、比較的輝度重みの大きい第６ＳＦから第８ＳＦにおいてのみ下り消去ランプ電圧Ｌ５を発生させる構成としてもよい。このように、比較的輝度重みの大きいサブフィールドにおいてのみ下り消去ランプ電圧Ｌ５を発生させる構成であっても、上述と同様の効果を得ることができる。
【０１１７】
なお、本実施の形態では、下り消去ランプ電圧Ｌ５を全て同じ勾配で発生させる構成を説明した。しかし、例えば、下り消去ランプ電圧Ｌ５を複数の期間に分け、各期間で勾配を変えて下り消去ランプ電圧Ｌ５を発生させる構成としてもよい。図８は、本発明の実施の形態１における走査電極２２に印加する下り消去ランプ電圧Ｌ５の他の波形例を示す波形図である。例えば、図８に示すように、消去放電が発生するまでは下りランプ電圧Ｌ２および下りランプ電圧Ｌ４よりも急峻な勾配（例えば、−８Ｖ／μｓｅｃ）で下降させ、その後、一旦下りランプ電圧Ｌ２および下りランプ電圧Ｌ４と同等の勾配（例えば、−２．５Ｖ／μｓｅｃ）で下降させ、最後に、下りランプ電圧Ｌ２および下りランプ電圧Ｌ４よりも緩やかな勾配（例えば、−１Ｖ／μｓｅｃ）で下降させて、下り消去ランプ電圧を発生させる構成としてもよい。このような構成であっても、上述と同様の効果が得られることが確認された。また、この構成では、下り消去ランプ電圧を発生させる期間を短縮できるという効果も得られる。
【０１１８】
なお、本実施の形態では、走査電極ＳＣ１〜走査電極ＳＣｎに下り消去ランプ電圧Ｌ５を印加する期間、維持電極ＳＵ１〜維持電極ＳＵｎには０（Ｖ）を印加する構成を説明したが、本発明は何らこの構成に限定されるものではない。図９は、本発明の実施の形態１におけるパネルの各電極に印加する駆動電圧波形の他の一例を示す波形図である。本実施の形態においては、例えば、図９に示すように、走査電極ＳＣ１〜走査電極ＳＣｎに下り消去ランプ電圧Ｌ５を印加する期間、維持電極ＳＵ１〜維持電極ＳＵｎに所定の電圧（例えば、電圧Ｖｅ１に等しい電圧）を印加する構成であってもよい。
【０１１９】
なお、本実施の形態において図６に示したタイミングチャートは一実施例を示したものに過ぎない。本発明は、何らこれらのタイミングチャートに限定されるものではない。
【０１２０】
（実施の形態２）
実施の形態１では、下り消去ランプ電圧Ｌ５を、下りランプ電圧Ｌ２および下りランプ電圧Ｌ４よりも緩やかな勾配の波形形状にして発生させる例を説明した。しかし、本発明は、下り消去ランプ電圧の波形形状が、何ら下り消去ランプ電圧Ｌ５の波形形状に限定されるものではない。本実施の形態では、下り消去ランプ電圧を下り消去ランプ電圧Ｌ５とは異なる波形形状で発生させる例を説明する。
【０１２１】
図１０は、本発明の実施の形態２におけるパネル１０の各電極に印加する駆動電圧波形図である。なお、本実施の形態では、本実施の形態に示す下り消去ランプ電圧を「下り消去ランプ電圧Ｌ６」と呼称する。また、本実施の形態においては、走査電極ＳＣ１〜走査電極ＳＣｎに印加する駆動電圧波形に、下り消去ランプ電圧Ｌ５に代えて下り消去ランプ電圧Ｌ６を用いているが、それ以外の波形形状は実施の形態１において図３に示した駆動電圧波形と同じである。したがって、本実施の形態では、図３に示した駆動電圧波形と異なる点について説明し、図３に示した駆動電圧波形と同様のものについては説明を省略する。
【０１２２】
本実施の形態では、維持期間における維持パルスの発生後に、走査電極ＳＣ１〜走査電極ＳＣｎに、データ電極Ｄ１〜データ電極Ｄｍに対して放電開始電圧以下となる０（Ｖ）から放電開始電圧を超える負の電圧Ｖｉ５に向かって緩やかに下降する第３の下り傾斜電圧である下り消去ランプ電圧Ｌ６を印加する。このとき、本実施の形態では、電圧Ｖｉ５を、初期化期間に発生させる下りランプ電圧Ｌ２および下りランプ電圧Ｌ４の最低電圧である電圧Ｖｉ４よりも低い電圧にして（例えば、電圧Ｖｉ４を−１６６（Ｖ）とし、電圧Ｖｉ５を−１６８（Ｖ）とする）下り消去ランプ電圧Ｌ６を発生させるものとする。
【０１２３】
下りランプ電圧Ｌ２および下りランプ電圧Ｌ４は、最低電圧（電圧Ｖｉ４）を低くしすぎると壁電荷が過剰に調整されて続く書込み放電が発生しにくくなることが確認された。また、最低電圧（電圧Ｖｉ４）を高くしてしまうと壁電荷の調整が不足して続く書込み放電が強く発生し、書込み動作が適正に行われなくなることが確認された。下りランプ電圧Ｌ２の最低電圧は、これらのことを考慮して、最適な電圧に設定するのが望ましい。本実施の形態では、下りランプ電圧Ｌ２の最低電圧を、書込み動作が安定に行われる電圧（例えば、−１６６（Ｖ））に設定する。
【０１２４】
一方、下り消去ランプ電圧Ｌ６は、最低電圧（電圧Ｖｉ５）を電圧Ｖｉ４よりも高くしてしまうと、続く下りランプ電圧Ｌ２または下りランプ電圧Ｌ４の印加時に、上述した異常な放電が発生するおそれがあることが確認された。これは、下りランプ電圧Ｌ２または下りランプ電圧Ｌ４が下り消去ランプ電圧Ｌ６の最低電圧（電圧Ｖｉ５）よりも低い電圧まで下降することで発生すると考えられる。逆に下り消去ランプ電圧Ｌ６の最低電圧（電圧Ｖｉ５）を低くしすぎると、消去放電による壁電荷の消去が過剰になって、続く書込み放電が発生しにくくなることが確認された。
【０１２５】
そこで本実施の形態では、次のことを考慮して下り消去ランプ電圧Ｌ６の最低電圧（電圧Ｖｉ５）を設定するものとする。
【０１２６】
・誤放電の種となる不要な壁電荷を除去する効果を十分に得ることができる。
【０１２７】
・下りランプ電圧Ｌ２および下りランプ電圧Ｌ４の印加時に、異常な放電が発生するのを防止することができる。
【０１２８】
・続く書込み放電が発生しにくくならない。
【０１２９】
本実施の形態では、下り消去ランプ電圧Ｌ６の最低電圧（電圧Ｖｉ５）を、これらの効果が得られる範囲に設定するものとする。具体的には、下り消去ランプ電圧Ｌ６の最低電圧（電圧Ｖｉ５）を、電圧Ｖｉ４よりも低く、かつ電圧Ｖｉ４−２（Ｖ）以上の範囲に設定するものとする。これにより、上述した効果を得られることが確認された。
【０１３０】
なお、図１０には、下り消去ランプ電圧Ｌ６の勾配を、下りランプ電圧Ｌ２および下りランプ電圧Ｌ４の勾配と等しくする例（例えば、約−２．５Ｖ／μｓｅｃ）を示したが、本実施の形態は、下り消去ランプ電圧Ｌ６の勾配が、何らこの数値に限定されるものではない。本実施の形態は、上述した効果を得るために、下り消去ランプ電圧Ｌ６の最低電圧（電圧Ｖｉ５）を上述の範囲に設定する構成を示したに過ぎない。したがって、例えば、下り消去ランプ電圧Ｌ６の勾配を、下り消去ランプ電圧Ｌ５と同様に、下りランプ電圧Ｌ２および下りランプ電圧Ｌ４よりも緩やかな勾配に設定する構成としてもよい。この構成では、実施の形態１に示した効果と上述した実施の形態２に示す効果との双方の効果を得ることも可能である。
【０１３１】
図１１は、本発明の実施の形態２における走査電極駆動回路１４３の一構成例を示す回路図である。走査電極駆動回路１４３は、維持パルス発生回路５０と、初期化波形発生回路１５１と、走査パルス発生回路１５２とを備える。走査パルス発生回路１５２の各出力端子は、パネル１０の走査電極ＳＣ１〜走査電極ＳＣｎのそれぞれに接続されている。なお、実施の形態１に示した初期化波形発生回路５１と同様の構成要素については同じ符号を付与し、説明を省略する。
【０１３２】
初期化波形発生回路１５１は、実施の形態１に示した初期化波形発生回路５１と同様に、ミラー積分回路５３と、ミラー積分回路５４と、ミラー積分回路５５とを有する。
【０１３３】
ミラー積分回路５４は、スイッチング素子Ｑ２とコンデンサＣ２と抵抗Ｒ２とを有し、初期化動作時においては、基準電位Ａを電圧Ｖｉ４までランプ状に緩やかに（例えば、−２．５Ｖ／μｓｅｃの勾配で）下降させて下りランプ電圧Ｌ２および下りランプ電圧Ｌ４を発生させる。また、維持期間における維持パルスの発生後には、基準電位Ａを下りランプ電圧Ｌ２および下りランプ電圧Ｌ４と同じ勾配（例えば、−２．５Ｖ／μｓｅｃの勾配で）で、下りランプ電圧Ｌ２および下りランプ電圧Ｌ４の最低電圧Ｖｉ４よりも低い電圧Ｖｉ５まで下降させて下り消去ランプ電圧Ｌ６を発生させる。
【０１３４】
走査パルス発生回路１５２は、走査電極ＳＣ１〜走査電極ＳＣｎのそれぞれに走査パルスを出力する複数の走査ＩＣ５６（本実施の形態では、走査ＩＣ５６（１）〜走査ＩＣ５６（１２））を含む、実施の形態１の図５に示した走査パルス発生回路５２の構成に加え、２つの入力端子に入力される入力信号の大小を比較する比較器ＣＰ１と、比較器ＣＰ１の一方の入力端子に電圧（Ｖａ＋Ｖｓｅｔ２）を印加するためのスイッチング素子ＳＷ１と、比較器ＣＰ１の一方の入力端子に電圧（Ｖａ＋Ｖｓｅｔ２ｅｒｓ）を印加するためのスイッチング素子ＳＷ２とを備えている。なお、比較器ＣＰ１の他方の入力端子は基準電位Ａに接続されている。また、走査ＩＣ５６の低電圧側（入力端子ＩＮａ）には基準電位Ａが接続されている。
【０１３５】
走査ＩＣ５６は、低電圧側の入力端子である入力端子ＩＮａと、高電圧側の入力端子である入力端子ＩＮｂとの２つの入力端子を有する。そして、走査ＩＣ５６に入力される制御信号にもとづき、２つの入力端子に入力される信号のいずれかを出力する。走査ＩＣ５６のそれぞれには、制御信号として、制御信号発生回路４５から出力される制御信号ＯＣ１、比較器ＣＰ１から出力される制御信号ＯＣ２が入力される。また、書込み期間において最初に走査を行う走査ＩＣ５６（１）には、書込み期間の開始直後に制御信号発生回路４５から出力される走査開始信号ＳＩＤ（１）が入力される。また、全ての走査ＩＣ５６（本実施の形態では、走査ＩＣ５６（１）〜走査ＩＣ５６（１２））には、信号処理動作の同期をとるための同期信号であるクロック信号ＣＬＫ（図１１には示さず）が入力される。
【０１３６】
図１２は、本発明の実施の形態２における走査電極駆動回路１４３の走査ＩＣ５６と走査電極ＳＣ１〜走査電極ＳＣｎとの接続の様子を示す概略図である。なお、図１２では、走査ＩＣ５６以外の回路は省略している。
【０１３７】
走査パルス発生回路１５２は、走査パルス発生回路５２と同様に、ｎ本の走査電極ＳＣ１〜走査電極ＳＣｎのそれぞれに走査パルス電圧を印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣ５６である。
【０１３８】
例えば、本実施の形態では、９０本の出力分のスイッチング素子を１つのモノリシックＩＣとして集積化して走査ＩＣ５６とする。このとき、パネル１０が１０８０本の走査電極２２を備えていれば、１２個の走査ＩＣ５６（１）〜走査ＩＣ５６（１２）を用いて走査パルス発生回路１５２を構成し、ｎ＝１０８０本の走査電極ＳＣ１〜走査電極ＳＣｎを駆動することができる。このように多数のスイッチング素子ＱＨ１〜スイッチング素子ＱＨｎ、スイッチング素子ＱＬ１〜スイッチング素子ＱＬｎをＩＣ化することにより部品点数を削減し、実装面積を低減することができる。ただし、本実施の形態で示した数値は単なる一例であり、本発明は何らこれらの数値に限定されるものではない。
【０１３９】
図１３は、本発明の実施の形態２における制御信号ＯＣ１、制御信号ＯＣ２と走査ＩＣ５６の動作状態との対応関係を示す図である。
【０１４０】
図１３に示すように、制御信号ＯＣ１、制御信号ＯＣ２が共にハイレベル（「Ｈｉ」と記す）のとき、走査ＩＣ５６は「Ａｌｌ‐Ｈｉ」の状態となる。「Ａｌｌ‐Ｈｉ」の状態の走査ＩＣ５６は、スイッチング素子ＱＨ１〜スイッチング素子ＱＨｎがオンとなり、スイッチング素子ＱＬ１〜スイッチング素子ＱＬｎがオフとなって、走査ＩＣ５６の出力端子の全てが高電圧側の入力端子ＩＮｂと電気的に接続された状態となる。
【０１４１】
また、制御信号ＯＣ１が「Ｈｉ」、制御信号ＯＣ２がローレベル（「Ｌｏ」と記す）のとき、走査ＩＣ５６は「Ａｌｌ‐Ｌｏ」の状態となる。「Ａｌｌ‐Ｌｏ」の状態の走査ＩＣ５６は、スイッチング素子ＱＨ１〜スイッチング素子ＱＨｎがオフとなり、スイッチング素子ＱＬ１〜スイッチング素子ＱＬｎがオンとなって、走査ＩＣ５６の出力端子の全てが低電圧側の入力端子ＩＮａと電気的に接続された状態となる。例えば、維持パルス発生回路５０を動作させているときは、走査ＩＣ５６を「Ａｌｌ‐Ｌｏ」の状態にする。こうすることで、維持パルス発生回路５０から出力される維持パルスを、スイッチング素子ＱＬ１〜スイッチング素子ＱＬｎを経由して走査電極ＳＣ１〜走査電極ＳＣｎに印加することができる。
【０１４２】
また、制御信号ＯＣ１、制御信号ＯＣ２が共に「Ｌｏ」のとき、走査ＩＣ５６は、出力端子がハイインピーダンス状態（以下、「ＨｉＺ」と記す）となる。
【０１４３】
また、制御信号ＯＣ１が「Ｌｏ」、制御信号ＯＣ２が「Ｈｉ」のとき、走査ＩＣ５６は、「ＤＡＴＡ」状態となる。「ＤＡＴＡ」状態の走査ＩＣ５６は、走査ＩＣ５６に入力される走査開始信号にもとづき、あらかじめ定められた一連の動作を行う。
【０１４４】
具体的には、走査ＩＣ５６に走査開始信号ＳＩＤが入力されると（本実施の形態では、走査開始信号ＳＩＤを所定の期間「Ｌｏ」にすると）、まず最初に、走査ＩＣ５６の最初の出力端子だけが低電圧側の入力端子ＩＮａと電気的に接続され、残りの全ての出力端子は高電圧側の入力端子ＩＮｂと電気的に接続される。その状態が所定時間（例えば、１μｓｅｃ）継続された後、次に、走査ＩＣ５６の２番目の出力端子だけが低電圧側の入力端子ＩＮａと電気的に接続され、残りの全ての出力端子は高電圧側の入力端子ＩＮｂと電気的に接続される。このようにして、走査ＩＣ５６の各出力端子が、順番に、所定時間ずつ、低電圧側の入力端子ＩＮａと電気的に接続されていく。
【０１４５】
書込み期間では、スイッチング素子Ｑ５をオンにして基準電位Ａを負の電圧Ｖａに等しくし、入力端子ＩＮａには負の電圧Ｖａを、入力端子ＩＮｂには電圧Ｖａ＋電圧Ｖｓｃとなった電圧Ｖｃを印加する。したがって、走査パルスを印加する走査電極ＳＣｉには、スイッチング素子ＱＬｉを経由して負の走査パルス電圧Ｖａが印加される。走査パルスを印加しない走査電極ＳＣｈ（ｈは、１〜ｎのうちｉを除いたもの）には、スイッチング素子ＱＨｈを経由して電圧Ｖａ＋電圧Ｖｓｃが印加される。
【０１４６】
このように、書込み期間に走査ＩＣ５６を「ＤＡＴＡ」状態にすることで、走査パルスを順次発生し、走査電極ＳＣ１〜走査電極ＳＣｎに印加することができる。
【０１４７】
なお、本実施の形態では、書込み期間の最初に走査を行う走査ＩＣ５６（例えば、走査ＩＣ５６（１））に用いる走査開始信号ＳＩＤ（１）を制御信号発生回路４５で発生させている。そして、残りの走査開始信号、例えば、走査ＩＣ５６（２）に用いる走査開始信号ＳＩＤ（２）から走査ＩＣ５６（１２）に用いる走査開始信号ＳＩＤ（１２）までの各走査開始信号は、走査ＩＣ５６のそれぞれで発生させている。
【０１４８】
具体的には、走査ＩＣ５６（１）は、走査ＩＣ５６（１）に接続された全ての走査電極２２に走査パルスを印加し終えた後、シフトレジスター等を使って走査開始信号ＳＩＤ（１）を所定時間遅延させて走査開始信号ＳＩＤ（２）を作成し、次段の走査ＩＣ５６（２）に供給する。走査ＩＣ５６（２）は、同様に、走査開始信号ＳＩＤ（２）を所定時間遅延させて作成した走査開始信号ＳＩＤ（３）を次段の走査ＩＣ５６（３）に供給する。以下、同様に、各走査ＩＣ５６は、入力された走査開始信号を所定時間遅延させて新たな走査開始信号を作成し、次段の走査ＩＣ５６に供給する。
【０１４９】
次に、電圧Ｖｉ４まで下降する第１の下り傾斜電圧である下りランプ電圧Ｌ２を発生させる動作と、電圧Ｖｉ５まで下降する第３の下り傾斜電圧である下り消去ランプ電圧Ｌ６を発生させる動作とを図１４を用いて説明する。
【０１５０】
図１４は、本発明の実施の形態２における全セル初期化期間の走査電極駆動回路１４３の動作の一例を説明するためのタイミングチャートである。なお、この図面では全セル初期化動作時の駆動波形を例にして説明するが、選択初期化動作において下りランプ電圧Ｌ４を発生させる動作は、図１４に説明する下りランプ電圧Ｌ２を発生させる動作と同様であるものとする。
【０１５１】
また、図１４では、維持期間の最後の駆動波形を期間Ｔ１〜期間Ｔ３で示した３つの期間に分割し、全セル初期化動作を行う駆動波形を期間Ｔ１１〜期間Ｔ１４で示した４つの期間に分割して、それぞれの期間について説明する。また、以下、電圧Ｖｉ３は電圧Ｖｓに等しいものとし、電圧Ｖｉ２は電圧Ｖｓｃ＋電圧Ｖｒに等しいものとし、電圧Ｖｉ４は電圧（Ｖａ＋Ｖｓｅｔ２）に等しいものとし、電圧Ｖｉ５は電圧（Ｖａ＋Ｖｓｅｔ２ｅｒｓ）に等しいものとして説明する。
【０１５２】
以下、維持期間の維持パルス発生後に下り消去ランプ電圧Ｌ６を発生させ、その後、下りランプ電圧Ｌ２を発生させる際の動作について説明する。
【０１５３】
まず、期間Ｔ１に入る前に維持パルス発生回路５０のクランプ回路を動作させて基準電位Ａを０（Ｖ）にする。そして、スイッチング素子ＱＨ１〜スイッチング素子ＱＨｎをオフ、スイッチング素子ＱＬ１〜スイッチング素子ＱＬｎをオンにして、基準電位Ａ（このとき、０（Ｖ））を走査電極ＳＣ１〜走査電極ＳＣｎに印加する（図示せず）。また、制御信号ＯＣ１は「Ｈｉ」にしておく（図示せず）。
【０１５４】
（期間Ｔ１）
期間Ｔ１では、下りの傾斜電圧を発生するミラー積分回路５４の入力端子ＩＮ２を「Ｈｉ」にする。具体的には入力端子ＩＮ２に、所定の定電流を入力する。すると、抵抗Ｒ２からコンデンサＣ２に向かって一定の電流が流れ、スイッチング素子Ｑ２のドレイン電圧が負の電圧Ｖｉ５（本実施の形態では、電圧（Ｖａ＋Ｖｓｅｔ２ｅｒｓ）に等しい）に向かってランプ状に下降し、走査電極駆動回路１４３の出力電圧もランプ状に下降し始める。このとき、傾斜電圧の勾配が所望の値（例えば、−２．５Ｖ／μｓｅｃ）になるように、入力端子ＩＮ２に入力する定電流を発生させる。
【０１５５】
なお、本実施の形態では、下り消去ランプ電圧Ｌ６を、最低電位を電圧（Ｖａ＋Ｖｓｅｔ２ｅｒｓ）にして発生させている。そのために、期間Ｔ１では、スイッチング素子ＳＷ２をオンにし、スイッチング素子ＳＷ１をオフにして、比較器ＣＰ１の一方の端子に電圧（Ｖａ＋Ｖｓｅｔ２ｅｒｓ）を印加する。こうして、比較器ＣＰ１で、基準電位Ａ、すなわち初期化波形発生回路１５１から出力される下りの傾斜電圧と、電圧Ｖａに電圧Ｖｓｅｔ２ｅｒｓを重畳した電圧（Ｖａ＋Ｖｓｅｔ２ｅｒｓ）との比較を行う。
【０１５６】
これにより、制御信号ＯＣ２である比較器ＣＰ１からの出力信号は、基準電位Ａにおける下りの傾斜電圧が電圧（Ｖａ＋Ｖｓｅｔ２ｅｒｓ）以下となる時刻ｔ１で「Ｌｏ」から「Ｈｉ」に切換わる。すなわち、期間Ｔ１では、時刻ｔ１までは制御信号ＯＣ１は「Ｈｉ」、制御信号ＯＣ２は「Ｌｏ」であって、走査ＩＣ５６は「Ａｌｌ‐Ｌｏ」の状態であり、時刻ｔ１以降は、制御信号ＯＣ１、制御信号ＯＣ２は共に「Ｈｉ」となって、走査ＩＣ５６は「Ａｌｌ‐Ｈｉ」の状態となる。したがって、走査ＩＣ５６から出力される電圧は、時刻ｔ１で、初期化波形発生回路１５１から出力される下りの傾斜電圧から入力端子ＩＮｂに入力される電圧（基準電位Ａに電圧Ｖｓｃが重畳された電圧）に切換わり、それまでの電圧下降が電圧上昇に切換わる。
【０１５７】
このようにして、本実施の形態では、電圧（Ｖａ＋Ｖｓｅｔ２ｅｒｓ）まで下降する下り消去ランプ電圧Ｌ６を、維持期間における全ての維持パルスを発生させた後に発生させ、走査電極ＳＣ１〜走査電極ＳＣｎに印加する。この下り消去ランプ電圧Ｌ６が下降する間に走査電極２２とデータ電極３２との間の電圧差は放電開始電圧を超え、これにより、走査電極２２とデータ電極３２との間に微弱な放電を発生させ、この微弱な放電を下り消去ランプ電圧Ｌ６が下降する期間、継続させることができる。
【０１５８】
なお、この微弱な放電は、実施の形態１で説明したのと同様に、書込み放電および維持放電が発生しなかった非点灯の放電セルで、かつ走査電極２２上に不要な負の壁電荷が蓄積した放電セルにのみ発生する。書込み放電が発生した点灯放電セルや、非点灯であっても走査電極２２上に蓄積した不要な負の壁電荷が微小な量に過ぎない放電セルでは、この微弱な放電は発生しない。
【０１５９】
そして、下り消去ランプ電圧Ｌ６が電圧（Ｖａ＋Ｖｓｅｔ２ｅｒｓ）まで下降した後、入力端子ＩＮ２に、例えば０（Ｖ）を印加して、入力端子ＩＮ２を「Ｌｏ」にし、ミラー積分回路５４の動作を停止する。
【０１６０】
（期間Ｔ２〜期間Ｔ１３）
続く期間Ｔ２、期間Ｔ３、期間Ｔ１１、期間Ｔ１２、期間Ｔ１３における各動作は、図６で説明した期間Ｔ２、期間Ｔ３、期間Ｔ１１、期間Ｔ１２、期間Ｔ１３と同様であるので、説明を省略する。
【０１６１】
（期間Ｔ１４）
期間Ｔ１４では、下りの傾斜電圧を発生するミラー積分回路５４の入力端子ＩＮ２を「Ｈｉ」にする。具体的には入力端子ＩＮ２に、所定の定電流を入力する。すると、抵抗Ｒ２からコンデンサＣ２に向かって一定の電流が流れ、スイッチング素子Ｑ２のドレイン電圧が負の電圧Ｖｉ４（本実施の形態では、電圧（Ｖａ＋Ｖｓｅｔ２に等しい）に向かってランプ状に下降し、走査電極駆動回路１４３の出力電圧もランプ状に下降し始める。このとき、傾斜電圧の勾配が所望の値（例えば、−２．５Ｖ／μｓｅｃ）になるように、入力端子ＩＮ２に入力する定電流を発生させる。
【０１６２】
なお、本実施の形態では、下りランプ電圧Ｌ２を、電位Ｖｉ４を電圧（Ｖａ＋Ｖｓｅｔ２）にして発生させている。そのために、期間Ｔ１４では、スイッチング素子ＳＷ１をオンにし、スイッチング素子ＳＷ２をオフにして、比較器ＣＰ１の一方の端子に電圧（Ｖａ＋Ｖｓｅｔ２）を印加する。こうして、比較器ＣＰ１で、基準電位Ａ、すなわち初期化波形発生回路１５１から出力される下りの傾斜電圧と、電圧Ｖａに電圧Ｖｓｅｔ２を重畳した電圧（Ｖａ＋Ｖｓｅｔ２）との比較を行う。
【０１６３】
これにより、比較器ＣＰ１からの出力信号である制御信号ＯＣ２は、基準電位Ａにおける下りの傾斜電圧が電圧（Ｖａ＋Ｖｓｅｔ２）以下となる時刻ｔ２で「Ｌｏ」から「Ｈｉ」に切換わる。すなわち、期間Ｔ１４では、時刻ｔ２までは制御信号ＯＣ１は「Ｈｉ」、制御信号ＯＣ２は「Ｌｏ」であって、走査ＩＣ５６は「Ａｌｌ‐Ｌｏ」の状態であり、時刻ｔ２以降は、制御信号ＯＣ１、制御信号ＯＣ２は共に「Ｈｉ」となって、走査ＩＣ５６は「Ａｌｌ‐Ｈｉ」の状態となる。したがって、走査ＩＣ５６から出力される電圧は、時刻ｔ２で、初期化波形発生回路１５１から出力される下りの傾斜電圧から入力端子ＩＮｂに入力される電圧（基準電位Ａに電圧Ｖｓｃが重畳された電圧）に切換わり、それまでの電圧下降が電圧上昇に切換わる。
【０１６４】
このようにして、本実施の形態では、電圧（Ｖａ＋Ｖｓｅｔ２）まで下降する下りランプ電圧Ｌ２（または、下りランプ電圧Ｌ４）を発生し、走査電極ＳＣ１〜走査電極ＳＣｎに印加する。
【０１６５】
以上のようにして、走査電極駆動回路１４３は、第３の下り傾斜電圧である下り消去ランプ電圧Ｌ６と、第１の下り傾斜電圧である下りランプ電圧Ｌ２および下りランプ電圧Ｌ４とを、最低電圧を互いに異なる電圧にして発生している。
【０１６６】
なお、下りランプ電圧Ｌ２、下りランプ電圧Ｌ４および下り消去ランプ電圧Ｌ６は、図１４に示すように、あらかじめ設定された電圧に到達した後、直ちに上昇させる構成であってもよいが、例えば、下降する電圧が、あらかじめ設定された電圧に到達したら、その後、その電圧を一定期間維持する構成であってもよい。
【０１６７】
以上説明したように、本実施の形態では、維持期間において、維持パルスを表示電極対２４に印加し終わった後に、下りランプ電圧Ｌ２および下りランプ電圧Ｌ４の最低電圧（電圧Ｖｉ４）よりも低い最低電圧（電圧Ｖｉ５）の下り消去ランプ電圧Ｌ６を走査電極ＳＣ１〜走査電極ＳＣｎに印加する。そして、維持放電が発生しなかった非点灯の放電セルで、かつ走査電極２２上に不要な負の壁電荷が蓄積した放電セルに消去放電を発生させる。こうすることで、維持放電が発生しなかった非点灯の放電セルに蓄積された不要な負の壁電荷を除去し、続くサブフィールドの書込み時に異常な書込み放電が発生するのを防止して、画像表示品質の劣化を防止することができる。
【０１６８】
さらに、本実施の形態では、下り消去ランプ電圧Ｌ６の最低電圧（電圧Ｖｉ５）を、下りランプ電圧Ｌ２および下りランプ電圧Ｌ４の最低電圧（電圧Ｖｉ４）よりも低く、かつ電圧Ｖｉ４−２（Ｖ）以上の範囲に設定することで、誤放電の種となる不要な壁電荷を除去する効果を十分に得ることができる、下りランプ電圧Ｌ２および下りランプ電圧Ｌ４の印加時に異常な放電が発生するのを防止することができる、続く書込み放電が発生しにくくならない、といった効果を得ることができる。
【０１６９】
なお、本実施の形態によれば、書込み期間において、安定した書込み放電を発生させるために必要な走査パルス電圧（振幅）を低減できる効果も得られることが確認された。書込みパルス電圧Ｖｄを、例えば１７０（Ｖ）にして、本実施の形態に示したパネル駆動を行ったときの測定結果と、下り消去ランプ電圧Ｌ６の代わりに０（Ｖ）を走査電極ＳＣ１〜走査電極ＳＣｎに印加したときに得られた測定結果と比較した。その結果、本実施の形態に示したパネル駆動を行ったときには、安定した書込み放電を発生させるために必要な走査パルス電圧（振幅）が、約１９（Ｖ）も低減できることが確認された。すなわち、本実施の形態によれば、高精細化されたパネルにおいても、書込み放電を発生させるために必要な電圧を高くすることなく安定に書込み放電を発生させることが可能となる。
【０１７０】
なお、本実施の形態では、全てのサブフィールドで下り消去ランプ電圧Ｌ６を走査電極ＳＣ１〜走査電極ＳＣｎに印加する構成を説明したが、本発明は必ずしもこの構成に限定されるものではない。例えば、非点灯の放電セルに不要な負の壁電荷の蓄積が発生しやすい輝度重みの大きいサブフィールドにおいてのみ、下り消去ランプ電圧Ｌ６を発生させる構成であってもよい。例えば、１フィールドを８つのサブフィールド（第１ＳＦ、第２ＳＦ、・・・、第８ＳＦ）で構成し、各サブフィールドがそれぞれ１、２、４、８、１６、３２、６４、１２８の輝度重みを有する構成であれば、比較的輝度重みの大きい第６ＳＦから第８ＳＦにおいてのみ下り消去ランプ電圧Ｌ６を発生させる構成としてもよい。このように、比較的輝度重みの大きいサブフィールドにおいてのみ下り消去ランプ電圧Ｌ６を発生させる構成であっても上述と同様の効果を得ることができる。
【０１７１】
なお、本実施の形態では、下り消去ランプ電圧Ｌ６を全て同じ勾配で発生させる構成を説明した。しかし、例えば、下り消去ランプ電圧Ｌ６を複数の期間に分け、各期間で勾配を変えて下り消去ランプ電圧Ｌ６を発生させる構成としてもよい。図１５は、本発明の実施の形態２における走査電極２２に印加する下り消去ランプ電圧Ｌ６の他の波形例を示す波形図である。例えば、図１５に示すように、消去放電が発生するまでは下りランプ電圧Ｌ２および下りランプ電圧Ｌ４よりも急峻な勾配（例えば、−８Ｖ／μｓｅｃ）で下降させ、その後、一旦下りランプ電圧Ｌ２および下りランプ電圧Ｌ４と同等の勾配（例えば、−２．５Ｖ／μｓｅｃ）で下降させ、最後に、下りランプ電圧Ｌ２および下りランプ電圧Ｌ４よりも緩やかな勾配（例えば、−１Ｖ／μｓｅｃ）で下降させて、下り消去ランプ電圧を発生させる構成としてもよい。このような構成であっても、上述と同様の効果が得られることが確認された。また、この構成では、下り消去ランプ電圧を発生させる期間を短縮できるという効果も得られる。
【０１７２】
なお、本実施の形態では、走査電極ＳＣ１〜走査電極ＳＣｎに下り消去ランプ電圧Ｌ６を印加する期間、維持電極ＳＵ１〜維持電極ＳＵｎには０（Ｖ）を印加する構成を説明したが、本発明は何らこの構成に限定されるものではない。図１６は、本発明の実施の形態２におけるパネルの各電極に印加する駆動電圧波形の他の一例を示す波形図である。本実施の形態においては、例えば、図１６に示すように、走査電極ＳＣ１〜走査電極ＳＣｎに下り消去ランプ電圧Ｌ６を印加する期間、維持電極ＳＵ１〜維持電極ＳＵｎに所定の電圧（例えば、電圧Ｖｅ１に等しい電圧）を印加する構成であってもよい。
【０１７３】
なお、本実施の形態において図１４に示したタイミングチャートは一実施例を示したものに過ぎない。本発明は、何らこれらのタイミングチャートに限定されるものではない。
【０１７４】
なお、本発明の実施の形態では、下り消去ランプ電圧Ｌ５（または、下り消去ランプ電圧Ｌ６）および上り消去ランプ電圧Ｌ３を走査電極ＳＣ１〜走査電極ＳＣｎに印加する構成を説明したが、最後の維持パルスを印加する電極が走査電極ＳＣ１〜走査電極ＳＣｎの場合には、下り消去ランプ電圧Ｌ５（または、下り消去ランプ電圧Ｌ６）および上り消去ランプ電圧Ｌ３を維持電極ＳＵ１〜維持電極ＳＵｎに印加する構成とすることもできる。しかし、本実施の形態においては、最後の維持パルスを印加する電極を維持電極ＳＵ１〜維持電極ＳＵｎにし、下り消去ランプ電圧Ｌ５（または、下り消去ランプ電圧Ｌ６）および上り消去ランプ電圧Ｌ３を走査電極ＳＣ１〜走査電極ＳＣｎに印加する構成にする方が望ましい。
【０１７５】
また、本発明における実施の形態は、いわゆる２相駆動によるパネルの駆動方法にも適用させることができる。２相駆動では、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とに分ける。この２相駆動においても、本発明における実施の形態を適用することで、上述と同様の効果を得ることができる。
【０１７６】
なお、本発明における実施の形態は、走査電極と走査電極とが隣り合い、維持電極と維持電極とが隣り合う電極構造、すなわち前面板２１に設けられる電極の配列が、「・・・、走査電極、走査電極、維持電極、維持電極、走査電極、走査電極、・・・」となる電極構造のパネルにおいても有効である。
【０１７７】
なお、本実施の形態において示した具体的な各数値、例えば、上りランプ電圧Ｌ１、下りランプ電圧Ｌ２、下りランプ電圧Ｌ４、上り消去ランプ電圧Ｌ３、下り消去ランプ電圧Ｌ５、下り消去ランプ電圧Ｌ６の各傾斜電圧の勾配等は表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【０１７８】
本発明は、高精細化されたパネルにおいても、壁電荷の調整を適正に行って安定した書込み動作を行うことが可能となる。したがって、書込み期間における異常放電の発生を抑えて画像表示品質を向上させることができるので、プラズマディスプレイ装置およびパネルの駆動方法として有用である。
【符号の説明】
【０１７９】
１    プラズマディスプレイ装置
１０    パネル（プラズマディスプレイパネル）
２１    前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３，１４３    走査電極駆動回路
４４    維持電極駆動回路
４５    制御信号発生回路
５０    維持パルス発生回路
５１，１５１    初期化波形発生回路
５２，１５２    走査パルス発生回路
５３，５４，５５    ミラー積分回路
５６    走査ＩＣ
６１    定電流発生回路
Ｑ１，Ｑ２，Ｑ３，Ｑ４，Ｑ５，Ｑ６，Ｑ２１，ＱＨ１〜ＱＨｎ，ＱＬ１〜ＱＬｎ，ＳＷ１，ＳＷ２    スイッチング素子
Ｃ１，Ｃ２，Ｃ３，Ｃ３１    コンデンサ
Ｄ３１    ダイオード
Ｄ９，Ｄ１０    ツェナーダイオード
ＣＰ１    比較器
Ｒ１，Ｒ２，Ｒ３，Ｒ９，Ｒ１２，Ｒ１３    抵抗
Ｑ９    トランジスタ
Ｌ１    上りランプ電圧
Ｌ２，Ｌ４    下りランプ電圧
Ｌ３    上り消去ランプ電圧
Ｌ５，Ｌ６    下り消去ランプ電圧
【図１】
2010016233.tif 000003
【図２】
2010016233.tif 000004
【図３】
2010016233.tif 000005
【図４】
2010016233.tif 000006
【図５】
2010016233.tif 000007
【図６】
2010016233.tif 000008
【図７】
2010016233.tif 000009
【図８】
2010016233.tif 000010
【図９】
2010016233.tif 000011
【図１０】
2010016233.tif 000012
【図１１】
2010016233.tif 000013
【図１２】
2010016233.tif 000014
【図１３】
2010016233.tif 000015
【図１４】
2010016233.tif 000016
【図１５】
2010016233.tif 000017
【図１６】
2010016233.tif 000018
【手続補正書】
【提出日】平成22年1月26日(2010.1.26)
【手続補正１】
【補正対象書類名】明細書
【補正対象項目名】全文
【補正方法】変更
【補正の内容】
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成されている。そして、それら表示電極対を覆うように誘電体層および保護層が形成されている。背面板は、背面ガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。そして、表示電極対とデータ電極とが立体交差するように前面板と背面板とが対向配置されて密封されている。密封された内部の放電空間には、例えば分圧比で５％のキセノンを含む放電ガスが封入されている。表示電極対とデータ電極とが対向する部分に放電セルが形成される。このような構成のパネルにおいて、各放電セル内でガス放電により紫外線を発生させる。この紫外線で赤色（Ｒ）、緑色（Ｇ）および青色（Ｂ）の各色の蛍光体を励起発光させて、パネルにカラー画像を表示する。
【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。
【０００４】
各サブフィールドは、初期化期間、書込み期間および維持期間を有する。
【０００５】
初期化期間では、各走査電極に初期化波形を印加し、各放電セルで初期化放電を発生させる。それにより、各放電セルにおいて、続く書込み動作のために必要な壁電荷を各電極上に形成する。また、書込み放電を安定に発生させるためのプライミング粒子（書込み放電を発生させるための励起粒子）を各放電セルに発生させる。
【０００６】
書込み期間では、走査電極に走査パルスを印加するとともに、データ電極には表示すべき画像信号にもとづき選択的に書込みパルスを印加する。それにより、表示を行うべき放電セルに選択的に書込み放電を発生させ、壁電荷を形成する（以下、この動作を「書込み」とも記す）。
【０００７】
維持期間では、表示させるべき輝度に応じた数の維持パルスを走査電極と維持電極とからなる表示電極対に交互に印加する。それにより、書込み放電を起こした放電セルで維持放電を発生させ、その放電セルの蛍光体層を発光させる。これにより画像表示を行う。
【０００８】
また、サブフィールド法の１つとして次の駆動方法が開示されている。この駆動方法では、緩やかに変化する電圧波形を用いて初期化放電を行う。さらに、維持放電を行った放電セルに対して選択的に初期化放電を行う。これにより、階調表示に関係しない発光を極力減らし、コントラスト比を向上させる。
【０００９】
具体的には、複数のサブフィールドのうち、１つのサブフィールドの初期化期間においては、全ての放電セルに初期化放電を発生させる全セル初期化動作を行う。また、他のサブフィールドの初期化期間においては、直前の維持期間で維持放電を行った放電セルにのみ初期化放電を発生させる選択初期化動作を行う。このように駆動することにより、画像の表示に関係のない発光によって変化する黒表示領域の輝度（以下、「黒輝度」と略記する）は、全セル初期化動作における微弱発光だけとなり、コントラストの高い画像表示が可能となる（例えば、特許文献１参照）。
【００１０】
また、次の駆動方法も開示されている。この駆動方法では、初期化期間に、緩やかな傾斜で電圧が上昇する部分と緩やかな傾斜で電圧が下降する部分とを有する初期化波形を放電セルに印加する。そして、その直前には、全放電セルの維持電極と走査電極との間に微弱放電を発生させる。これにより、パネルにおける黒の視認性を向上させることができる（例えば、特許文献２参照）。
【００１１】
近年、パネルの高精細化にともない放電セルのさらなる微細化が進んでいる。この微細化された放電セルでは、初期化放電によって放電セル内に形成された壁電荷が、隣接する放電セルに発生する書込み放電や維持放電の影響を受けて変化しやすいことが確認されている。また、維持期間に発生させる維持パルスの数が多いサブフィールドでは、維持放電を発生させない放電セルの壁電荷が、その放電セルに隣接する維持放電を発生させる放電セルの影響を受けて変化しやすいことも確認されている。そして、放電セルに不要な壁電荷が過剰に蓄積すると、例えば、書込み放電を発生させるべきでない放電セルで誤った書込み放電（以下、「誤放電」とも記す）が発生することがある。このような誤放電は、画像表示品質を劣化させてしまう。
【先行技術文献】
【特許文献】
【００１２】
【特許文献１】特開２０００−２４２２２４号公報
【特許文献２】特開２００４−３７８８３号公報
【発明の概要】
【００１３】
本発明のプラズマディスプレイ装置は、初期化期間と書込み期間と維持期間とを有するサブフィールドを１フィールド内に複数設けて階調表示するサブフィールド法で駆動し、複数の走査電極を有するパネルと、初期化期間には下降する第１の下り傾斜電圧を発生し、維持期間には維持パルスを発生し、維持期間の最後には上昇する上り傾斜電圧を発生して走査電極に印加する走査電極駆動回路とを備え、走査電極駆動回路は、維持期間において維持パルスの発生後に、第１の下り傾斜電圧よりも緩やかな勾配で下降する部分を有する第２の下り傾斜電圧を発生し、第２の下り傾斜電圧の発生後に上り傾斜電圧を発生して走査電極に印加することを特徴とする。
【００１４】
これにより、高精細化されたパネルにおいても、壁電荷の調整を適正に行って安定した書込み動作を行い、書込み期間における異常放電の発生を抑えて画像表示品質を向上させることが可能となる。
【図面の簡単な説明】
【００１５】
【図１】本発明の実施の形態１におけるパネルの構造を示す分解斜視図
【図２】同パネルの電極配列図
【図３】同パネルの各電極に印加する駆動電圧波形図
【図４】本発明の実施の形態１におけるプラズマディスプレイ装置の回路ブロック図
【図５】同プラズマディスプレイ装置の走査電極駆動回路の一構成例を示す回路図
【図６】本発明の実施の形態１における全セル初期化期間の走査電極駆動回路の動作の一例を説明するためのタイミングチャート
【図７】本発明の実施の形態１における書込みパルス電圧Ｖｄと走査パルス電圧（振幅）との関係を示す特性図
【図８】本発明の実施の形態１における走査電極に印加する下り消去ランプ電圧の他の波形例を示す波形図
【図９】本発明の実施の形態１におけるパネルの各電極に印加する駆動電圧波形の他の一例を示す波形図
【図１０】本発明の実施の形態２におけるパネルの各電極に印加する駆動電圧波形図
【図１１】本発明の実施の形態２における走査電極駆動回路の一構成例を示す回路図
【図１２】本発明の実施の形態２における走査電極駆動回路の走査ＩＣと走査電極との接続の様子を示す概略図
【図１３】本発明の実施の形態２における制御信号ＯＣ１、制御信号ＯＣ２と走査ＩＣの動作状態との対応関係を示す図
【図１４】本発明の実施の形態２における全セル初期化期間の走査電極駆動回路の動作の一例を説明するためのタイミングチャート
【図１５】本発明の実施の形態２における走査電極に印加する下り消去ランプ電圧の他の波形例を示す波形図
【図１６】本発明の実施の形態２におけるパネルの各電極に印加する駆動電圧波形の他の一例を示す波形図
【発明を実施するための形態】
【００１６】
以下、本発明の実施の形態におけるプラズマディスプレイ装置について、図面を用いて説明する。
【００１７】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００１８】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００１９】
背面板３１上にはデータ電極３２が複数形成されている。そして、データ電極３２を覆うように誘電体層３３が形成されている。そして、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２０】
これら前面板２１と背面板３１とは、微小な放電空間を挟んで表示電極対２４とデータ電極３２とが交差するように対向配置されている。そして、その外周部をガラスフリット等の封着材によって封着されている。そして、その内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２１】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２２】
図２は、本発明の実施の形態１におけるパネル１０の電極配列図である。パネル１０には、行方向に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列されている。そして、列方向に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成されている。したがって、放電セルは放電空間内にｍ×ｎ個形成されている。そして、ｍ×ｎ個の放電セルが形成された領域がパネル１０の表示領域となる。
【００２３】
次に、パネル１０を駆動するための駆動電圧波形とその動作の概要について図３を用いて説明する。なお、本実施の形態におけるプラズマディスプレイ装置は、サブフィールド法によってパネル１０を駆動するものとする。このサブフィールド法では、１フィールドを時間軸上で複数のサブフィールドに分割し、各サブフィールドに輝度重みをそれぞれ設定する。そして、サブフィールド毎に各放電セルの発光・非発光を制御することによって階調表示を行う。
【００２４】
このサブフィールド法では、例えば、１フィールドを８のサブフィールド（第１ＳＦ、第２ＳＦ、・・・、第８ＳＦ）で構成し、各サブフィールドはそれぞれ、例えば（１、２、４、８、１６、３２、６４、１２８）の輝度重みを有する構成とすることができる。そして、各サブフィールドでは、この輝度重みに、あらかじめ設定された輝度倍率を乗じた数の維持パルスを発生させる。これにより、維持期間における発光の回数を制御して画像の明るさを調整する。また、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては直前のサブフィールドで維持放電を行った放電セルに対して選択的に初期化放電を発生させる選択初期化動作を行う（以下、選択初期化動作を行うサブフィールドを「選択初期化サブフィールド」と呼称する）。こうすることで、階調表示に関係しない発光を極力減らしコントラスト比を向上させることが可能である。
【００２５】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなる。したがって、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００２６】
しかし、本発明は、サブフィールド数や各サブフィールドの輝度重みが、本実施の形態に示す上記の値に限定されるものではない。また、画像信号等にもとづいてサブフィールド構成を切換える構成であってもよい。
【００２７】
なお、本実施の形態では、維持期間において、維持パルスの発生後に、下降する傾斜電圧を発生して走査電極に印加し、その後、上昇する傾斜電圧を発生して走査電極に印加する。これにより、続くサブフィールドの初期化期間における初期化動作および書込み期間における書込み動作を安定させている。以下、まず駆動電圧波形の概要について説明する。続いて、駆動回路の構成について説明する。
【００２８】
図３は、本発明の実施の形態１におけるパネル１０の各電極に印加する駆動電圧波形図である。
【００２９】
なお、図３には、書込み期間において最初に走査を行う走査電極ＳＣ１、書込み期間において最後に走査を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動波形を示す。
【００３０】
また、図３には、２つのサブフィールドの駆動電圧波形を示す。すなわち全セル初期化サブフィールドである第１サブフィールド（第１ＳＦ）と、選択初期化サブフィールドである第２サブフィールド（第２ＳＦ）とを図３に示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中からサブフィールドデータ（サブフィールド毎の発光・非発光を示すデータ）にもとづき選択された電極を表す。
【００３１】
まず、全セル初期化サブフィールドである第１ＳＦについて説明する。
【００３２】
第１ＳＦの初期化期間前半部では、データ電極Ｄ１〜データ電極Ｄｍ、維持電極ＳＵ１〜維持電極ＳＵｎにそれぞれ０（Ｖ）を印加する。そして、走査電極ＳＣ１〜走査電極ＳＣｎには、０（Ｖ）を印加した後、電圧Ｖｓｃを印加し、さらに、電圧Ｖｓｃに積み上げ電圧を重畳した電圧Ｖｉ１を印加する。さらに電圧Ｖｉ１から、電圧Ｖｉ２に向かって緩やかに（例えば、約１．３Ｖ／μｓｅｃの勾配で）上昇する傾斜電圧（以下、「上りランプ電圧」と呼称する）Ｌ１を印加する。このとき、電圧Ｖｉ１は、放電開始電圧未満の電圧とし、電圧Ｖｉ２は維持電極ＳＵ１〜維持電極ＳＵｎに対して放電開始電圧を超える電圧とする。
【００３３】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３４】
初期化期間後半部では、維持電極ＳＵ１〜維持電極ＳＵｎには正の電圧Ｖｅ１を印加し、データ電極Ｄ１〜データ電極Ｄｍには０（Ｖ）を印加する。そして、走査電極ＳＣ１〜走査電極ＳＣｎには、電圧Ｖｉ３から負の電圧Ｖｉ４に向かって緩やかに（例えば、約−２．５Ｖ／μｓｅｃの勾配で）下降する下り傾斜電圧（以下、「下りランプ電圧」と呼称する）Ｌ２を印加する。このとき、電圧Ｖｉ３は維持電極ＳＵ１〜維持電極ＳＵｎに対して放電開始電圧未満の電圧とし、電圧Ｖｉ４は放電開始電圧を超える電圧とする。
【００３５】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められる。そして、データ電極Ｄ１〜データ電極Ｄｍ上部の正の壁電圧は書込み動作に適した値に調整される。
【００３６】
以上により、全ての放電セルに対して初期化放電を行う全セル初期化動作が終了する。
【００３７】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加する。こうして、各放電セルに選択的に書込み放電を発生させる。
【００３８】
この書込み期間では、まず維持電極ＳＵ１〜維持電極ＳＵｎに電圧Ｖｅ２を印加し、走査電極ＳＣ１〜走査電極ＳＣｎに（電圧Ｖａ＋電圧Ｖｓｃ）を印加する。
【００３９】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。
【００４０】
このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こる。そして、走査電極ＳＣ１上に正の壁電圧が蓄積され、維持電極ＳＵ１上に負の壁電圧が蓄積され、データ電極Ｄｋ上にも負の壁電圧が蓄積される。
【００４１】
このようにして、１行目に発光させるべき放電セルで書込み放電を起こして各電極上に壁電圧を蓄積する書込み動作を行う。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００４２】
続く維持期間では、輝度重みに所定の輝度倍率を乗じた数の維持パルスを表示電極対２４に交互に印加して、書込み放電を発生した放電セルで維持放電を発生させ、その放電セルを発光させる。
【００４３】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。これにより、放電セルに印加される電圧は、維持パルス電圧Ｖｓに、走査電極ＳＣｉ上の壁電圧と維持電極ＳＵｉ上の壁電圧との差が加算された電圧となる。そして、書込み放電を起こした放電セルでは、走査電極ＳＣｉ上と維持電極ＳＵｉ上との電圧差が放電開始電圧を超える。
【００４４】
こうして、書込み放電を起こした放電セルで、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４５】
続いて、走査電極ＳＣ１〜走査電極ＳＣｎにはベース電位となる０（Ｖ）を印加し、維持電極ＳＵ１〜維持電極ＳＵｎには維持パルス電圧Ｖｓを印加する。すると、維持放電を起こした放電セルでは、維持電極ＳＵｉ上と走査電極ＳＣｉ上との電圧差が放電開始電圧を超える。これにより再び維持電極ＳＵｉと走査電極ＳＣｉとの間に維持放電が起こる。そして、維持電極ＳＵｉ上に負の壁電圧が蓄積され、走査電極ＳＣｉ上に正の壁電圧が蓄積される。以降同様に、走査電極ＳＣ１〜走査電極ＳＣｎと維持電極ＳＵ１〜維持電極ＳＵｎとに輝度重みに輝度倍率を乗じた数の維持パルスを交互に印加し、表示電極対２４の電極間に電位差を与える。こうすることにより、書込み期間において書込み放電を起こした放電セルで維持放電が継続して行われる。
【００４６】
そして、維持期間における最終の維持パルスを維持電極ＳＵ１〜維持電極ＳＵｎに印加した後に、維持電極ＳＵ１〜維持電極ＳＵｎおよびデータ電極Ｄ１〜データ電極Ｄｍには０（Ｖ）を印加したまま、走査電極ＳＣ１〜走査電極ＳＣｎには、データ電極Ｄ１〜データ電極Ｄｍに対して放電開始電圧以下となる接地電位、すなわち０（Ｖ）から放電開始電圧を超える負の電圧Ｖｉ４に向かって緩やかに下降する第２の下り傾斜電圧（以下、「下り消去ランプ電圧」と呼称する）Ｌ５を印加する。このとき、本実施の形態では、下り消去ランプ電圧Ｌ５の勾配を、初期化期間に発生させる下りランプ電圧Ｌ２および後述する下りランプ電圧Ｌ４よりも緩やかな勾配（例えば、約−１Ｖ／μｓｅｃ）とする。
【００４７】
この下り消去ランプ電圧Ｌ５を走査電極ＳＣ１〜走査電極ＳＣｎに印加する間に、書込み放電が発生せず維持放電が発生しなかった非点灯の放電セルで、かつ走査電極２２上に不要な負の壁電荷が蓄積した放電セルにおいて、走査電極２２とデータ電極３２との間で微弱な消去放電が起こる。そして、この微弱な放電は、走査電極ＳＣ１〜走査電極ＳＣｎへの印加電圧が下降する期間、持続して発生する。そして、下降する電圧があらかじめ定めた電圧Ｖｉ４に到達したら、走査電極ＳＣ１〜走査電極ＳＣｎに印加する電圧を０（Ｖ）まで上昇させる。
【００４８】
このとき、この微弱な消去放電で発生した荷電粒子（プライミング粒子）は、走査電極２２とデータ電極３２との間の電圧差を緩和するように、走査電極２２上およびデータ電極３２上に蓄積されていく。これにより、放電セル内に蓄積された不要な負の壁電荷が消去される。すなわち、下り消去ランプ電圧Ｌ５により発生する放電は、不要な負の壁電荷を消去する消去放電として働く。
【００４９】
非点灯の放電セルにおいて、走査電極２２上に不要な負の壁電荷が蓄積することがあるのは、次のような理由によると考えられる。初期化放電後、書込み放電および維持放電が発生しなかった非点灯の放電セルは、その後、書込み放電が発生するまで放電が発生しない。しかし、維持放電が発生しない非点灯の放電セルであっても、表示電極対２４に維持パルスは印加される。そのため、非点灯の放電セルでは、隣接する放電セルに維持放電が発生すると、その維持放電によって生じた荷電粒子（プライミング粒子）の一部が、表示電極対２４に印加される維持パルス電圧によって、非点灯の放電セル内に移動していく。特に、走査電極２２に印加される維持パルス電圧によって、走査電極２２上に引き付けられていく。そして、移動してきたプライミング粒子は非点灯の放電セルの走査電極２２上に不要な負の壁電荷として蓄積していく。このようにして、非点灯の放電セルの走査電極２２上に不要な負の壁電荷が蓄積すると考えられる。
【００５０】
また、このプライミング粒子の移動、およびこれにより生じる不要な負の壁電荷の蓄積は、パネルの高精細化にともない微細化が進んだ放電セルで発生しやすい。そして、放電セル内に不要な負の壁電荷が蓄積する量は、隣接する２つの放電セルの一方の放電セルでは維持放電が発生し、他方の放電セルでは維持放電が発生しない期間が長くなるほど多くなる。すなわち、不要な負の壁電荷の蓄積は、輝度重みが大きく維持パルスの発生数が大きいサブフィールドで、より発生しやすい。
【００５１】
そして、そのような不要な負の壁電荷が過剰に蓄積すると、初期化期間に後述する下りランプ電圧Ｌ４を走査電極ＳＣ１〜走査電極ＳＣｎに印加する間に、異常な放電を発生させる場合があることが確認された。この異常な放電は、壁電圧を、正常な初期化放電が発生したときとは異なる状態にしてしまい、さらに、不要なプライミング粒子も発生させる。そのため、書込み放電を発生させるべきでないサブフィールドで誤った書込み放電が発生し、画像表示品質を劣化させてしまうおそれがある。
【００５２】
しかし、本実施の形態では、書込み放電および維持放電が発生しなかった非点灯の放電セルで、かつ走査電極２２上に不要な負の壁電荷が蓄積した放電セルにおいて、下り消去ランプ電圧Ｌ５により走査電極２２とデータ電極３２との間に微弱な放電を発生させ、放電セル内に蓄積された不要な負の壁電荷を消去することができる。これにより、誤放電の種となる不要な壁電荷を除去できるので、書込み放電を発生させるべきでないサブフィールドで誤放電が発生することを防止し、画像表示品質の劣化を防止することができる。
【００５３】
なお、上述したように、維持パルスを維持電極２３に印加することで発生する維持放電では、維持電極ＳＵｉ上に負の壁電荷が蓄積し、走査電極ＳＣｉ上に正の壁電荷が蓄積する。したがって、維持期間における最終の維持パルスを維持電極ＳＵ１〜維持電極ＳＵｎに印加する本実施の形態に示す構成では、書込み放電が発生した放電セルにおいて、最終の維持パルスを発生した後に、維持電極ＳＵｉ上に負の壁電荷が蓄積し、走査電極ＳＣｉ上に正の壁電荷が蓄積する。そのため、本実施の形態において書込み放電が発生し維持放電が発生した放電セルでは、０（Ｖ）から負の電圧Ｖｉ４に向かって下降する下り消去ランプ電圧Ｌ５を走査電極ＳＣ１〜走査電極ＳＣｎに印加しても、上述した消去放電は発生しない。
【００５４】
また、書込み放電および維持放電が発生しなかった非点灯の放電セルであっても、走査電極２２上に不要な負の壁電荷が蓄積していない放電セルでは、それ以前の初期化放電終了時点の正常な壁電荷の状態がほぼ維持されている。そのため、電圧Ｖｉ４を最適に設定してれば、下り消去ランプ電圧Ｌ５を走査電極ＳＣ１〜走査電極ＳＣｎに印加しても、走査電極２２とデータ電極３２との間の電位差は放電開始電圧を超えない。すなわち、上述した消去放電は発生しない。あるいは、走査電極２２上に不要な負の壁電荷が蓄積したとしても、それが微小な量に過ぎず、誤放電を発生させるおそれが低い放電セルでは、同様に、下り消去ランプ電圧Ｌ５による消去放電は発生しない。
【００５５】
すなわち、本実施の形態においては、０（Ｖ）から負の電圧Ｖｉ４に向かって下降する下り消去ランプ電圧Ｌ５を発生させて走査電極ＳＣ１〜走査電極ＳＣｎに印加する構成とすることで、書込み放電および維持放電が発生しなかった非点灯の放電セルで、かつ走査電極２２上に不要な負の壁電荷が蓄積した放電セルにおいてのみ、下り消去ランプ電圧Ｌ５による消去放電を発生させることができる。
【００５６】
なお、下りランプ電圧Ｌ２および後述する下りランプ電圧Ｌ４は、勾配を緩やかにすることで上述した異常な放電の発生を低減できるが、勾配を緩やかにしすぎると壁電圧を調整するという本来の効果が弱められることが確認された。そこで、本実施の形態では、下りランプ電圧Ｌ２および後述する下りランプ電圧Ｌ４を、例えば−２．５Ｖ／μｓｅｃの勾配で発生させるものとする。
【００５７】
そして、下り消去ランプ電圧Ｌ５は、勾配を緩やかにするほど、誤放電の種となる不要な壁電荷を除去し、上述した異常な放電の発生を低減する効果が高められることが確認された。そこで、本実施の形態では、下り消去ランプ電圧Ｌ５を−２．５Ｖ／μｓｅｃ未満の勾配で発生させるものとする。しかし、下り消去ランプ電圧Ｌ５の勾配を緩やかにするほど上述した効果は徐々に飽和していくことも確認された。また、下り消去ランプ電圧Ｌ５の勾配を緩やかにするほど下り消去ランプ電圧Ｌ５の発生に費やす時間が増大していく。そのため、実用的には、下り消去ランプ電圧Ｌ５の勾配は−０．５Ｖ／μｓｅｃ以上であることが望ましい。
【００５８】
これらのことから、本実施の形態では、下り消去ランプ電圧Ｌ５の勾配を、−０．５Ｖ／μｓｅｃ以上−２．５Ｖ／μｓｅｃ未満の範囲で、下りランプ電圧Ｌ２および後述する下りランプ電圧Ｌ４よりも緩やかな勾配に設定するものとする。例えば、本実施の形態では、下り消去ランプ電圧Ｌ５の勾配を、−１Ｖ／μｓｅｃに設定するものとする。
【００５９】
そして、維持期間の最後には、すなわち、走査電極ＳＣ１〜走査電極ＳＣｎへの下り消去ランプ電圧Ｌ５の印加終了後には、走査電極ＳＣ１〜走査電極ＳＣｎに、０（Ｖ）から電圧Ｖｅｒｓに向かって緩やかに上昇する上り傾斜電圧（以下、「上り消去ランプ電圧」と呼称する）Ｌ３を印加する。このとき、電圧Ｖｅｒｓは放電開始電圧を超える電圧とする。これにより、維持放電を発生させた放電セルにおいて、微弱な放電を持続して発生させ、データ電極Ｄｋ上の正の壁電圧を残したまま、走査電極ＳＣｉおよび維持電極ＳＵｉ上の壁電圧の一部または全部を消去する。
【００６０】
具体的には、０（Ｖ）から放電開始電圧を超える電圧Ｖｅｒｓに向かって上昇する上り消去ランプ電圧Ｌ３を、上りランプ電圧Ｌ１よりも急峻な勾配（例えば、約１０Ｖ／μｓｅｃ）で発生させ、走査電極ＳＣ１〜走査電極ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜走査電極ＳＣｎへの印加電圧が上昇する期間、持続して発生する。そして、上昇する電圧があらかじめ定めた電圧Ｖｅｒｓに到達したら、走査電極ＳＣ１〜走査電極ＳＣｎに印加する電圧をベース電位となる０（Ｖ）まで下降させる。
【００６１】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、例えば（電圧Ｖｅｒｓ−放電開始電圧）の程度まで弱められる。すなわち、上り消去ランプ電圧Ｌ３により発生する放電は、消去放電として働く。
【００６２】
その後、走査電極ＳＣ１〜走査電極ＳＣｎを０（Ｖ）に戻し、維持期間における維持動作が終了する。
【００６３】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を印加し、データ電極Ｄ１〜データ電極Ｄｍに０（Ｖ）を印加する。そして、走査電極ＳＣ１〜走査電極ＳＣｎには、放電開始電圧未満の電圧（例えば、０（Ｖ））から放電開始電圧を超える負の電圧Ｖｉ４に向かって、下りランプ電圧Ｌ２と同じ勾配（例えば、約−２．５Ｖ／μｓｅｃ）で下降する第１の下り傾斜電圧である下りランプ電圧Ｌ４を印加する。なお、本実施の形態においては、下りランプ電圧Ｌ２と下りランプ電圧Ｌ４とは、勾配および最低電圧が互いに等しい。そこで、下りランプ電圧Ｌ２も第１の下り傾斜電圧に含めるものとする。
【００６４】
これにより直前のサブフィールド（図３では、第１ＳＦ）の維持期間で維持放電を起こした放電セルでは微弱な初期化放電が発生する。そして、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルでは初期化放電は発生しない。
【００６５】
このように、第２ＳＦにおける初期化動作は、直前のサブフィールドの維持期間に維持動作を行った放電セルに対して初期化放電を行う選択初期化動作となる。
【００６６】
なお、本実施の形態においては、上述したように、下り消去ランプ電圧Ｌ５により発生させる消去放電によって、非点灯の放電セルにおいて、誤放電の種となる不要な負の壁電荷を除去することができる。したがって、下りランプ電圧Ｌ４を走査電極ＳＣ１〜走査電極ＳＣｎに印加するときに、上述した異常な放電が発生するのを防止し、書込み放電を発生させるべきでないサブフィールドで誤った書込み放電が発生するのを低減することができる。
【００６７】
第２ＳＦの書込み期間では、走査電極ＳＣ１〜走査電極ＳＣｎ、維持電極ＳＵ１〜維持電極ＳＵｎおよびデータ電極Ｄ１〜データ電極Ｄｍに対して、第１ＳＦの書込み期間と同様の駆動波形を印加する。
【００６８】
第２ＳＦの維持期間では、第１ＳＦの維持期間と同様に、走査電極ＳＣ１〜走査電極ＳＣｎと維持電極ＳＵ１〜維持電極ＳＵｎとにあらかじめ定められた数の維持パルスを交互に印加する。これにより、書込み期間において書込み放電を発生させた放電セルで維持放電を発生させる。そして、維持パルスの印加後には、第１ＳＦの維持期間と同様に、走査電極ＳＣ１〜走査電極ＳＣｎに下り消去ランプ電圧Ｌ５を印加して、維持放電が発生しなかった非点灯の放電セルで、かつ走査電極２２上に不要な負の壁電荷が蓄積した放電セルに消去放電を発生させる。その後、走査電極ＳＣ１〜走査電極ＳＣｎに上り消去ランプ電圧Ｌ３を印加して、維持放電を発生させた放電セルに消去放電を発生させる。
【００６９】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルスの発生数が異なる以外は第２ＳＦと同様の駆動波形を印加する。
【００７０】
以上が、パネル１０の各電極に印加する駆動電圧波形の概要である。
【００７１】
次に、本実施の形態におけるプラズマディスプレイ装置の構成について説明する。図４は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、制御信号発生回路４５および各回路ブロックに必要な電力を供給する電源回路（図示せず）を備えている。
【００７２】
画像信号処理回路４１は、放電セルを画像信号ｓｉｇの階調値に応じた明るさで発光させるために、パネル１０の放電セル数に応じて、入力された画像信号ｓｉｇをサブフィールド毎の発光・非発光を示すサブフィールドデータに変換する。
【００７３】
制御信号発生回路４５は、水平同期信号Ｈおよび垂直同期信号Ｖにもとづき各回路ブロックの動作を制御する各種の制御信号を発生し、それぞれの回路ブロック（画像信号処理回路４１、データ電極駆動回路４２、走査電極駆動回路４３および維持電極駆動回路４４）へ供給する。
【００７４】
データ電極駆動回路４２は、サブフィールド毎のサブフィールドデータを各データ電極Ｄ１〜データ電極Ｄｍに対応する信号に変換する。そして、制御信号発生回路４５から供給される制御信号にもとづいて各データ電極Ｄ１〜データ電極Ｄｍを駆動する。
【００７５】
走査電極駆動回路４３は、初期化波形発生回路と、維持パルス発生回路と、走査パルス発生回路とを有する。初期化波形発生回路は、初期化期間において走査電極ＳＣ１〜走査電極ＳＣｎに印加する初期化波形を発生する。維持パルス発生回路は、維持期間において走査電極ＳＣ１〜走査電極ＳＣｎに印加する維持パルスを発生する。走査パルス発生回路は、複数の走査電極駆動ＩＣ（以下、「走査ＩＣ」と略記する）を備え、書込み期間において走査電極ＳＣ１〜走査電極ＳＣｎに印加する走査パルスを発生する。そして、走査電極駆動回路４３は、制御信号発生回路４５から供給される制御信号にもとづいて各走査電極ＳＣ１〜走査電極ＳＣｎをそれぞれ駆動する。
【００７６】
維持電極駆動回路４４は、維持パルス発生回路および電圧Ｖｅ１、電圧Ｖｅ２を発生するための回路（図示せず）を備えている。そして、制御信号発生回路４５から供給される制御信号にもとづいて維持電極ＳＵ１〜維持電極ＳＵｎを駆動する。
【００７７】
次に、走査電極駆動回路４３の詳細とその動作について説明する。
【００７８】
図５は、本発明の実施の形態１におけるプラズマディスプレイ装置１の走査電極駆動回路４３の一構成例を示す回路図である。走査電極駆動回路４３は、維持パルスを発生する維持パルス発生回路５０と、初期化波形を発生する初期化波形発生回路５１と、走査パルスを発生する走査パルス発生回路５２とを備える。そして、走査パルス発生回路５２の各出力端子は、パネル１０の走査電極ＳＣ１〜走査電極ＳＣｎのそれぞれに接続されている。なお、本実施の形態では、走査パルス発生回路５２に入力される電圧を「基準電位Ａ」と記す。また、以下の説明においては、スイッチング素子を導通させる動作を「オン」と表記し、遮断させる動作を「オフ」と表記する。また、スイッチング素子をオンさせる信号を「Ｈｉ」と表記し、オフさせる信号を「Ｌｏ」と表記する。
【００７９】
また、図５には、負の電圧Ｖａを用いた回路（例えば、ミラー積分回路５４）を動作させているときに、その回路と、維持パルス発生回路５０、電圧Ｖｒを用いた回路（例えば、ミラー積分回路５３）、および電圧Ｖｅｒｓを用いた回路（例えば、ミラー積分回路５５）とを電気的に分離するためのスイッチング素子Ｑ４を用いた分離回路を示している。また、電圧Ｖｒを用いた回路（例えば、ミラー積分回路５３）を動作させているときに、その回路と、電圧Ｖｒよりも低い電圧の電圧Ｖｅｒｓを用いた回路（例えば、ミラー積分回路５５）とを電気的に分離するためのスイッチング素子Ｑ６を用いた分離回路を示している。
【００８０】
維持パルス発生回路５０は、一般に用いられている電力回収回路（図示せず）とクランプ回路（図示せず）とを備える。そして、制御信号発生回路４５から出力される制御信号にもとづき、維持パルス発生回路５０の内部に備えた各スイッチング素子を切換えて維持パルスを発生させる。なお、図５では、制御信号の信号経路の詳細は省略する。
【００８１】
走査パルス発生回路５２は、ｎ本の走査電極ＳＣ１〜走査電極ＳＣｎのそれぞれに走査パルス電圧を印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。
【００８２】
また、走査パルス発生回路５２は、書込み期間において基準電位Ａを負の電圧Ｖａに接続するためのスイッチング素子Ｑ５と、電圧Ｖｓｃを発生し基準電位Ａに電圧Ｖｓｃを重畳する電源ＶＳＣと、基準電位Ａに電圧Ｖｓｃを重畳して発生させた電圧Ｖｃを入力端子ＩＮｂに印加するためのダイオードＤ３１およびコンデンサＣ３１とを備えている。そして、スイッチング素子ＱＨ１〜スイッチング素子ＱＨｎの入力端子ＩＮｂには電圧Ｖｃを入力し、スイッチング素子ＱＬ１〜スイッチング素子ＱＬｎの入力端子ＩＮａには基準電位Ａを入力する。
【００８３】
このように構成された走査パルス発生回路５２では、書込み期間においては、スイッチング素子Ｑ５をオンにして基準電位Ａを負の電圧Ｖａに等しくする。そして、入力端子ＩＮａには負の電圧Ｖａを入力し、入力端子ＩＮｂには負の電圧Ｖａ＋電圧Ｖｓｃとなる電圧Ｖｃを入力する。そして、サブフィールドデータにもとづき、走査パルスを印加する走査電極ＳＣｉに対しては、スイッチング素子ＱＨｉをオフ、スイッチング素子ＱＬｉをオンにして、スイッチング素子ＱＬｉを経由して走査電極ＳＣｉに負の走査パルス電圧Ｖａを印加する。一方、走査パルスを印加しない走査電極ＳＣｈ（ｈは、１〜ｎのうちｉを除いたもの）に対しては、スイッチング素子ＱＬｈをオフ、スイッチング素子ＱＨｈをオンにして、スイッチング素子ＱＨｈを経由して走査電極ＳＣｈに電圧Ｖａ＋電圧Ｖｓｃを印加する。
【００８４】
なお、走査パルス発生回路５２は、初期化期間では初期化波形発生回路５１の電圧波形を出力し、維持期間では維持パルス発生回路５０の電圧波形を出力するように、制御信号発生回路４５によって制御されるものとする。
【００８５】
初期化波形発生回路５１は、ミラー積分回路５３と、ミラー積分回路５４と、ミラー積分回路５５と、定電流発生回路６１とを有する。なお、ミラー積分回路５３およびミラー積分回路５５は、上昇する傾斜電圧を発生する傾斜電圧発生回路である。また、ミラー積分回路５４は、下降する傾斜電圧を発生する傾斜電圧発生回路である。また、図５には、ミラー積分回路５３の入力端子を入力端子ＩＮ１とし、ミラー積分回路５５の入力端子を入力端子ＩＮ３とし、定電流発生回路６１の入力端子を入力端子ＩＮ２として示している。
【００８６】
ミラー積分回路５３は、スイッチング素子Ｑ１とコンデンサＣ１と抵抗Ｒ１とコンデンサＣ１に直列に接続されたツェナーダイオードＤ１０とを有する。そして、初期化動作時に、走査電極駆動回路４３の基準電位Ａをランプ状の緩やかな勾配（例えば、１．３Ｖ／μｓｅｃ）で電圧Ｖｉ２まで上昇させて上りランプ電圧Ｌ１を発生させる。なお、ツェナーダイオードＤ１０は、全セル初期化動作時（ここでは、第１ＳＦの初期化期間）に、電圧Ｖｓｃに積み上げ電圧であるツェナー電圧（例えば、４５（Ｖ））を重畳して電圧Ｖｉ１を発生させる働きを有する。すなわち、ツェナーダイオードＤ１０は、上りランプ電圧Ｌ１の開始電圧（傾斜電圧の上昇が開始される電圧）を電圧Ｖｉ１にする働きを有する。
【００８７】
ミラー積分回路５５は、スイッチング素子Ｑ３とコンデンサＣ３と抵抗Ｒ３とを有する。そして、維持期間の最後、すなわち、下り消去ランプ電圧Ｌ５の発生後に、基準電位Ａを上りランプ電圧Ｌ１よりも急峻な勾配（例えば、１０Ｖ／μｓｅｃ）で電圧Ｖｅｒｓまで上昇させて上り消去ランプ電圧Ｌ３を発生させる。
【００８８】
ミラー積分回路５４は、スイッチング素子Ｑ２とコンデンサＣ２と抵抗Ｒ２とを有する。そして、初期化動作時においては、基準電位Ａをランプ状の緩やかな勾配（例えば、−２．５Ｖ／μｓｅｃ）で電圧Ｖｉ４まで下降させて下りランプ電圧Ｌ２および下りランプ電圧Ｌ４を発生させる。また、維持期間における維持パルスの発生後には、基準電位Ａを下りランプ電圧Ｌ２および下りランプ電圧Ｌ４よりも緩やかな勾配（例えば、−１Ｖ／μｓｅｃの勾配）で電圧Ｖｉ４まで下降させて下り消去ランプ電圧Ｌ５を発生させる。
【００８９】
定電流発生回路６１は、トランジスタＱ９と、抵抗Ｒ９と、ツェナーダイオードＤ９と、抵抗Ｒ１２とを有する。トランジスタＱ９は、入力端子ＩＮ２にコレクタが接続されている。抵抗Ｒ９は、入力端子ＩＮ２とトランジスタＱ９のベースとの間に挿入されている。ツェナーダイオードＤ９は、抵抗Ｒ９にカソードが接続され、抵抗Ｒ２にアノードが接続されている。抵抗Ｒ１２は、トランジスタＱ９のエミッタと抵抗Ｒ２との間に直列に接続されている。そして、定電流発生回路６１は、入力端子ＩＮ２に所定の電圧（例えば、５（Ｖ））を印加することで、定電流を発生する。この定電流はミラー積分回路５４に入力される。ミラー積分回路５４は、この定電流が入力される期間、基準電位Ａの電位をランプ状に下降させる。
【００９０】
ここで、本実施の形態における初期化波形発生回路５１は、スイッチング素子Ｑ２１を備えた構成とする。スイッチング素子Ｑ２１は、ゲートを入力端子ＩＮ４とする。スイッチング素子Ｑ２１は、入力端子ＩＮ４に印加する制御信号が「Ｈｉ」（例えば、５（Ｖ））のときにオンになり、「Ｌｏ」（例えば、０（Ｖ））のときにオフになる。そして、定電流発生回路６１は、抵抗Ｒ１３を備えている。抵抗Ｒ１３は、スイッチング素子Ｑ２１のスイッチング操作により、定電流発生回路６１が出力する定電流の電流値を変更する働きを有する。具体的には、抵抗Ｒ１３の一方の端子を抵抗Ｒ１２とトランジスタＱ９との接続点に接続し、他方の端子をスイッチング素子Ｑ２１のドレインに接続する。そして、スイッチング素子Ｑ２１のソースを抵抗Ｒ１２と抵抗Ｒ２との接続点に接続する。これにより、スイッチング素子Ｑ２１をオンにすると、抵抗Ｒ１２と抵抗Ｒ１３とが電気的に並列に接続される。したがって、スイッチング素子Ｑ２１がオフのときよりも定電流発生回路６１から出力される定電流の電流値を大きくし、ミラー積分回路５４から出力される傾斜電圧の勾配を大きくすることができる。
【００９１】
これにより、本実施の形態におけるミラー積分回路５４は、勾配が異なる２つの傾斜電圧、すなわち初期化動作時の下りランプ電圧Ｌ２および下りランプ電圧Ｌ４と、維持期間において維持パルスの発生後に発生させる下り消去ランプ電圧Ｌ５とを発生させることができる。
【００９２】
次に、第１の下り傾斜電圧である下りランプ電圧Ｌ２を発生させる動作と、下りランプ電圧Ｌ２および下りランプ電圧Ｌ４よりも緩やかな勾配で下降する第２の下り傾斜電圧である下り消去ランプ電圧Ｌ５を発生させる動作とを図６を用いて説明する。
【００９３】
図６は、本発明の実施の形態１における全セル初期化期間の走査電極駆動回路４３の動作の一例を説明するためのタイミングチャートである。なお、この図面では全セル初期化動作時の駆動波形を例にして説明するが、選択初期化動作において下りランプ電圧Ｌ４を発生させる動作は、図６に説明する下りランプ電圧Ｌ２を発生させる動作と同様であるものとする。
【００９４】
また、図６では、維持期間の最後の駆動波形を期間Ｔ１〜期間Ｔ３で示した３つの期間に分割し、全セル初期化動作を行う駆動波形を期間Ｔ１１〜期間Ｔ１４で示した４つの期間に分割して、それぞれの期間について説明する。また、電圧Ｖｉ３は電圧Ｖｓに等しいものとし、電圧Ｖｉ２は電圧Ｖｓｃ＋電圧Ｖｒに等しいものとし、電圧Ｖｉ４は負の電圧Ｖａに等しいものとして説明する。また、図面にはスイッチング素子をオンさせる信号を「Ｈｉ」、オフさせる信号を「Ｌｏ」と表記する。
【００９５】
以下、維持期間の維持パルス発生後に下り消去ランプ電圧Ｌ５を発生させ、その後、上り消去ランプ電圧Ｌ３を発生させる際の動作について説明する。
【００９６】
まず、期間Ｔ１に入る前に維持パルス発生回路５０のクランプ回路を動作させて基準電位Ａを０（Ｖ）にする。そして、スイッチング素子ＱＨ１〜スイッチング素子ＱＨｎをオフ、スイッチング素子ＱＬ１〜スイッチング素子ＱＬｎをオンにして、基準電位Ａ（このとき、０（Ｖ））を走査電極ＳＣ１〜走査電極ＳＣｎに印加する（図示せず）。
【００９７】
（期間Ｔ１）
期間Ｔ１では、入力端子ＩＮ４を「Ｌｏ」にしてスイッチング素子Ｑ２１をオフにし、抵抗Ｒ１３を電気的に開放された状態にする。あわせて、入力端子ＩＮ２を「Ｈｉ」にして、定電流発生回路６１の動作を開始させる。これにより、コンデンサＣ２に向かって一定の電流が流れ、スイッチング素子Ｑ２のドレイン電圧が負の電圧Ｖｉ４（本実施の形態では、電圧Ｖａに等しい）に向かってランプ状に下降し、走査電極駆動回路４３の出力電圧も負の電圧Ｖｉ４に向かってランプ状に下降し始める。このとき、傾斜電圧の勾配が所望の値（例えば、−１Ｖ／μｓｅｃ）になるように、抵抗Ｒ１２の抵抗値をあらかじめ設定しておく。
【００９８】
この電圧下降は、入力端子ＩＮ２を「Ｈｉ」にしている期間、もしくは、基準電位Ａが電圧Ｖａに到達するまで、継続させることができる。そして、本実施の形態では、走査電極駆動回路４３の出力電圧が負の電圧Ｖｉ４（本実施の形態では、電圧Ｖａに等しい）に到達したら、入力端子ＩＮ２に、例えば０（Ｖ）を印加して、入力端子ＩＮ２を「Ｌｏ」にする。このようにして、本実施の形態では、電圧Ｖｉ４まで下降する下り消去ランプ電圧Ｌ５を、維持期間における全ての維持パルスを発生させた後に発生させ、走査電極ＳＣ１〜走査電極ＳＣｎに印加する。
【００９９】
この下り消去ランプ電圧Ｌ５が下降する間に、維持放電が発生しなかった非点灯の放電セルで、かつ走査電極２２上に不要な負の壁電荷が蓄積した放電セルにおいて、走査電極２２とデータ電極３２との間の電圧差は放電開始電圧を超える。これにより、その走査電極２２とデータ電極３２との間に微弱な放電が発生する。そして、この微弱な放電は、下り消去ランプ電圧Ｌ５が下降する期間、継続する。
【０１００】
（期間Ｔ２）
期間Ｔ２では、上り消去ランプ電圧Ｌ３を発生するミラー積分回路５５の入力端子ＩＮ３を「Ｈｉ」にする。具体的には入力端子ＩＮ３に、所定の定電流を入力する。これにより、コンデンサＣ３に向かって一定の電流が流れ、スイッチング素子Ｑ３のソース電圧がランプ状に上昇し、走査電極駆動回路４３の出力電圧は、ランプ状に上昇し始める。このとき、傾斜電圧の勾配が所望の値（例えば、１０Ｖ／μｓｅｃ）になるように、入力端子ＩＮ３に入力する定電流を発生させる。こうして、０（Ｖ）から電圧Ｖｅｒｓ（本実施の形態では、電圧Ｖｓに等しい）に向かって上昇する上り消去ランプ電圧Ｌ３を発生させ、走査電極ＳＣ１〜走査電極ＳＣｎに印加する。なお、この電圧上昇は、入力端子ＩＮ３を「Ｈｉ」にしている期間、もしくは、基準電位Ａが電圧Ｖｅｒｓに到達するまで、継続させることができる。
【０１０１】
この上り消去ランプ電圧Ｌ３が上昇する間に、走査電極ＳＣｉと維持電極ＳＵｉとの間の電圧差は放電開始電圧を超える。これにより、走査電極ＳＣｉと維持電極ＳＵｉとの間に微弱な放電が発生する。そして、この微弱な放電は、上り消去ランプ電圧Ｌ３が上昇する期間、継続する。
【０１０２】
なお、図面には示していないが、このときデータ電極Ｄ１〜データ電極Ｄｍは０（Ｖ）に保持されているので、データ電極Ｄｋ上には正の壁電圧が形成される。
【０１０３】
（期間Ｔ３）
期間Ｔ３では、維持パルス発生回路５０のクランプ回路を動作させて基準電位Ａを０（Ｖ）にし、続く全セル初期化動作に備える。
【０１０４】
次に、全セル初期化期間に初期化波形電圧を発生させる際の動作について説明する。
【０１０５】
（期間Ｔ１１）
期間Ｔ１１では、スイッチング素子ＱＨ１〜スイッチング素子ＱＨｎをオンにし、スイッチング素子ＱＬ１〜スイッチング素子ＱＬｎをオフにする。これにより、基準電位Ａ（このとき、０（Ｖ））に電圧Ｖｓｃを重畳した電圧Ｖｃ（すなわち、電圧Ｖｃ＝電圧Ｖｓｃ）を、走査電極ＳＣ１〜走査電極ＳＣｎに印加する。
【０１０６】
（期間Ｔ１２）
次に、上りランプ電圧Ｌ１を発生するミラー積分回路５３の入力端子ＩＮ１を「Ｈｉ」にする。具体的には入力端子ＩＮ１に、所定の定電流を入力する。ミラー積分回路５３の動作開始直後のスイッチング素子Ｑ１のソース電圧は、基準電位Ａ（０（Ｖ））に、ツェナーダイオードＤ１０のツェナー電圧Ｖｚを加算した電圧Ｖｚになっている。したがって、走査電極駆動回路４３の出力電圧は、電圧Ｖｓｃから電圧ＶｓｃにツェナーダイオードＤ１０のツェナー電圧Ｖｚを重畳した電圧Ｖｉ１まで急峻に増加する。
【０１０７】
その後、コンデンサＣ１に向かって一定の電流が流れ、スイッチング素子Ｑ１のソース電圧は電圧Ｖｉ１からランプ状に上昇し、走査電極駆動回路４３の出力電圧は、ランプ状に上昇し始める。このとき、傾斜電圧の勾配が所望の値（例えば、１．３Ｖ／μｓｅｃ）になるように、入力端子ＩＮ１に入力する定電流を発生させる。こうして、電圧Ｖｉ１から電圧Ｖｉ２（本実施の形態では、電圧Ｖｓｃ＋電圧Ｖｒに等しい）に向かって上昇する上りランプ電圧Ｌ１を発生させ、走査電極ＳＣ１〜走査電極ＳＣｎに印加する。なお、この電圧上昇は、入力端子ＩＮ１を「Ｈｉ」にしている期間、もしくは、基準電位Ａが電圧Ｖｒに到達するまで、継続させることができる。
【０１０８】
期間Ｔ１２では、このようにして、電圧Ｖｉ１から放電開始電圧を超える電圧Ｖｉ２（本実施の形態では、電圧Ｖｓに等しい）に向かって緩やかに上昇する上りランプ電圧Ｌ１を発生させる。
【０１０９】
（期間Ｔ１３）
期間Ｔ１３では入力端子ＩＮ１を「Ｌｏ」にし、ミラー積分回路５３の動作を停止する。また、スイッチング素子ＱＨ１〜スイッチング素子ＱＨｎをオフ、スイッチング素子ＱＬ１〜スイッチング素子ＱＬｎをオンにして、基準電位Ａを走査電極ＳＣ１〜走査電極ＳＣｎに印加する。あわせて、維持パルス発生回路５０のクランプ回路を動作させて基準電位Ａを電圧Ｖｓにする。これにより、走査電極ＳＣ１〜走査電極ＳＣｎの電圧は電圧Ｖｉ３（本実施の形態では、電圧Ｖｓに等しい）まで低下する。
【０１１０】
（期間Ｔ１４）
期間Ｔ１４では、入力端子ＩＮ４を「Ｈｉ」にしてスイッチング素子Ｑ２１をオンにし、抵抗Ｒ１２と抵抗Ｒ１３とが電気的に並列に接続された状態にする。あわせて、入力端子ＩＮ２を「Ｈｉ」にして、定電流発生回路６１の動作を開始させる。これにより、定電流発生回路６１から出力される定電流の電流値は期間Ｔ１よりも大きくなる。そして、定電流発生回路６１からコンデンサＣ２に向かって一定の電流が流れ、スイッチング素子Ｑ２のドレイン電圧が負の電圧Ｖｉ４（本実施の形態では、電圧Ｖａに等しい）に向かってランプ状に下降し、走査電極駆動回路４３の出力電圧は、下り消去ランプ電圧Ｌ５よりも急峻な勾配で負の電圧Ｖｉ４に向かってランプ状に下降し始める。このとき、傾斜電圧の勾配が所望の値（例えば、−２．５Ｖ／μｓｅｃ）になるように、抵抗Ｒ１２と抵抗Ｒ１３の合成抵抗の抵抗値をあらかじめ設定しておく。
【０１１１】
なお、この電圧下降は、入力端子ＩＮ２を「Ｈｉ」にしている期間、もしくは、基準電位Ａが電圧Ｖａに到達するまで、継続させることができる。そして、本実施の形態では、走査電極駆動回路４３の出力電圧が負の電圧Ｖｉ４（本実施の形態では、電圧Ｖａに等しい）に到達したら入力端子ＩＮ２を「Ｌｏ」にする。このようにして下りランプ電圧Ｌ２（または、下りランプ電圧Ｌ４）を発生し、走査電極ＳＣ１〜走査電極ＳＣｎに印加する。
【０１１２】
以上のようにして、走査電極駆動回路４３は、第２の下り傾斜電圧である下り消去ランプ電圧Ｌ５と、上り消去ランプ電圧Ｌ３と、上りランプ電圧Ｌ１と、第１の下り傾斜電圧である下りランプ電圧Ｌ２および下りランプ電圧Ｌ４とを発生させる。
【０１１３】
なお、下りランプ電圧Ｌ２、下りランプ電圧Ｌ４および下り消去ランプ電圧Ｌ５は、図６に示すように電圧Ｖａまで下降させる構成であってもよいが、例えば、下降する電圧が、電圧Ｖａに所定の正の電圧Ｖｓｅｔ２を重畳した電圧に到達した時点で、下降を停止させる構成としてもよい。また、下りランプ電圧Ｌ２、下りランプ電圧Ｌ４および下り消去ランプ電圧Ｌ５は、あらかじめ設定された電圧に到達した後、直ちに上昇させる構成であってもよいが、例えば、下降する電圧が、あらかじめ設定された低電圧に到達したら、その後、その電圧を一定期間維持する構成であってもよい。
【０１１４】
以上説明したように、本実施の形態では、維持期間において、維持パルスを表示電極対に印加し終わった後に、下りランプ電圧Ｌ２および下りランプ電圧Ｌ４よりも勾配を緩やかにした下り消去ランプ電圧Ｌ５を走査電極ＳＣ１〜走査電極ＳＣｎに印加する。そして、維持放電が発生しなかった非点灯の放電セルで、かつ走査電極２２上に不要な負の壁電荷が蓄積した放電セルに消去放電を発生させる。こうすることで、維持放電が発生しなかった非点灯の放電セルに蓄積された不要な負の壁電荷を除去し、続くサブフィールドの書込み時に異常な書込み放電が発生するのを防止して、画像表示品質の劣化を防止することができる。
【０１１５】
なお、本実施の形態によれば、書込み期間において、安定した書込み放電を発生させるために必要な走査パルス電圧（振幅）を低減できる効果を得られることも確認された。図７は、本発明の実施の形態１における書込みパルス電圧Ｖｄと走査パルス電圧（振幅）との関係を示す特性図である。図７において、横軸は書込みパルス電圧Ｖｄを表し、縦軸は安定した書込み放電を発生させるために必要な走査パルス電圧（振幅）を表す。また、図７において、実線は、本実施の形態に示した方法でパネル駆動を行ったときに得られた測定結果を示し、破線は、下り消去ランプ電圧Ｌ５の代わりに０（Ｖ）を走査電極ＳＣ１〜走査電極ＳＣｎに印加したときに得られた測定結果を示す。そして、図７に示すように、例えば、書込みパルス電圧Ｖｄを１７０（Ｖ）にしたときには、本実施の形態に示した方法でパネル駆動を行うことで、安定した書込み放電を発生させるために必要な走査パルス電圧（振幅）を、約１９（Ｖ）も低減できることが確認された。すなわち、本実施の形態によれば、高精細化されたパネルにおいても、書込み放電を発生させるために必要な電圧を高くすることなく、安定に書込み放電を発生させることが可能となる。
【０１１６】
なお、本実施の形態では、全てのサブフィールドで下り消去ランプ電圧Ｌ５を走査電極ＳＣ１〜走査電極ＳＣｎに印加する構成を説明したが、本発明は必ずしもこの構成に限定されるものではない。例えば、非点灯の放電セルに不要な負の壁電荷の蓄積が発生しやすい輝度重みの大きいサブフィールドにおいてのみ、下り消去ランプ電圧Ｌ５を発生させる構成であってもよい。例えば、１フィールドを８つのサブフィールド（第１ＳＦ、第２ＳＦ、・・・、第８ＳＦ）で構成し、各サブフィールドがそれぞれ１、２、４、８、１６、３２、６４、１２８の輝度重みを有する構成であれば、比較的輝度重みの大きい第６ＳＦから第８ＳＦにおいてのみ下り消去ランプ電圧Ｌ５を発生させる構成としてもよい。このように、比較的輝度重みの大きいサブフィールドにおいてのみ下り消去ランプ電圧Ｌ５を発生させる構成であっても、上述と同様の効果を得ることができる。
【０１１７】
なお、本実施の形態では、下り消去ランプ電圧Ｌ５を全て同じ勾配で発生させる構成を説明した。しかし、例えば、下り消去ランプ電圧Ｌ５を複数の期間に分け、各期間で勾配を変えて下り消去ランプ電圧Ｌ５を発生させる構成としてもよい。図８は、本発明の実施の形態１における走査電極２２に印加する下り消去ランプ電圧Ｌ５の他の波形例を示す波形図である。例えば、図８に示すように、消去放電が発生するまでは下りランプ電圧Ｌ２および下りランプ電圧Ｌ４よりも急峻な勾配（例えば、−８Ｖ／μｓｅｃ）で下降させ、その後、一旦下りランプ電圧Ｌ２および下りランプ電圧Ｌ４と同等の勾配（例えば、−２．５Ｖ／μｓｅｃ）で下降させ、最後に、下りランプ電圧Ｌ２および下りランプ電圧Ｌ４よりも緩やかな勾配（例えば、−１Ｖ／μｓｅｃ）で下降させて、下り消去ランプ電圧を発生させる構成としてもよい。このような構成であっても、上述と同様の効果が得られることが確認された。また、この構成では、下り消去ランプ電圧を発生させる期間を短縮できるという効果も得られる。
【０１１８】
なお、本実施の形態では、走査電極ＳＣ１〜走査電極ＳＣｎに下り消去ランプ電圧Ｌ５を印加する期間、維持電極ＳＵ１〜維持電極ＳＵｎには０（Ｖ）を印加する構成を説明したが、本発明は何らこの構成に限定されるものではない。図９は、本発明の実施の形態１におけるパネルの各電極に印加する駆動電圧波形の他の一例を示す波形図である。本実施の形態においては、例えば、図９に示すように、走査電極ＳＣ１〜走査電極ＳＣｎに下り消去ランプ電圧Ｌ５を印加する期間、維持電極ＳＵ１〜維持電極ＳＵｎに所定の電圧（例えば、電圧Ｖｅ１に等しい電圧）を印加する構成であってもよい。
【０１１９】
なお、本実施の形態において図６に示したタイミングチャートは一実施例を示したものに過ぎない。本発明は、何らこれらのタイミングチャートに限定されるものではない。
【０１２０】
（実施の形態２）
実施の形態１では、下り消去ランプ電圧Ｌ５を、下りランプ電圧Ｌ２および下りランプ電圧Ｌ４よりも緩やかな勾配の波形形状にして発生させる例を説明した。しかし、本発明は、下り消去ランプ電圧の波形形状が、何ら下り消去ランプ電圧Ｌ５の波形形状に限定されるものではない。本実施の形態では、下り消去ランプ電圧を下り消去ランプ電圧Ｌ５とは異なる波形形状で発生させる例を説明する。
【０１２１】
図１０は、本発明の実施の形態２におけるパネル１０の各電極に印加する駆動電圧波形図である。なお、本実施の形態では、本実施の形態に示す下り消去ランプ電圧を「下り消去ランプ電圧Ｌ６」と呼称する。また、本実施の形態においては、走査電極ＳＣ１〜走査電極ＳＣｎに印加する駆動電圧波形に、下り消去ランプ電圧Ｌ５に代えて下り消去ランプ電圧Ｌ６を用いているが、それ以外の波形形状は実施の形態１において図３に示した駆動電圧波形と同じである。したがって、本実施の形態では、図３に示した駆動電圧波形と異なる点について説明し、図３に示した駆動電圧波形と同様のものについては説明を省略する。
【０１２２】
本実施の形態では、維持期間における維持パルスの発生後に、走査電極ＳＣ１〜走査電極ＳＣｎに、データ電極Ｄ１〜データ電極Ｄｍに対して放電開始電圧以下となる０（Ｖ）から放電開始電圧を超える負の電圧Ｖｉ５に向かって緩やかに下降する第３の下り傾斜電圧である下り消去ランプ電圧Ｌ６を印加する。このとき、本実施の形態では、電圧Ｖｉ５を、初期化期間に発生させる下りランプ電圧Ｌ２および下りランプ電圧Ｌ４の最低電圧である電圧Ｖｉ４よりも低い電圧にして（例えば、電圧Ｖｉ４を−１６６（Ｖ）とし、電圧Ｖｉ５を−１６８（Ｖ）とする）下り消去ランプ電圧Ｌ６を発生させるものとする。
【０１２３】
下りランプ電圧Ｌ２および下りランプ電圧Ｌ４は、最低電圧（電圧Ｖｉ４）を低くしすぎると壁電荷が過剰に調整されて続く書込み放電が発生しにくくなることが確認された。また、最低電圧（電圧Ｖｉ４）を高くしてしまうと壁電荷の調整が不足して続く書込み放電が強く発生し、書込み動作が適正に行われなくなることが確認された。下りランプ電圧Ｌ２の最低電圧は、これらのことを考慮して、最適な電圧に設定するのが望ましい。本実施の形態では、下りランプ電圧Ｌ２の最低電圧を、書込み動作が安定に行われる電圧（例えば、−１６６（Ｖ））に設定する。
【０１２４】
一方、下り消去ランプ電圧Ｌ６は、最低電圧（電圧Ｖｉ５）を電圧Ｖｉ４よりも高くしてしまうと、続く下りランプ電圧Ｌ２または下りランプ電圧Ｌ４の印加時に、上述した異常な放電が発生するおそれがあることが確認された。これは、下りランプ電圧Ｌ２または下りランプ電圧Ｌ４が下り消去ランプ電圧Ｌ６の最低電圧（電圧Ｖｉ５）よりも低い電圧まで下降することで発生すると考えられる。逆に下り消去ランプ電圧Ｌ６の最低電圧（電圧Ｖｉ５）を低くしすぎると、消去放電による壁電荷の消去が過剰になって、続く書込み放電が発生しにくくなることが確認された。
【０１２５】
そこで本実施の形態では、次のことを考慮して下り消去ランプ電圧Ｌ６の最低電圧（電圧Ｖｉ５）を設定するものとする。
【０１２６】
・誤放電の種となる不要な壁電荷を除去する効果を十分に得ることができる。
【０１２７】
・下りランプ電圧Ｌ２および下りランプ電圧Ｌ４の印加時に、異常な放電が発生するのを防止することができる。
【０１２８】
・続く書込み放電が発生しにくくならない。
【０１２９】
本実施の形態では、下り消去ランプ電圧Ｌ６の最低電圧（電圧Ｖｉ５）を、これらの効果が得られる範囲に設定するものとする。具体的には、下り消去ランプ電圧Ｌ６の最低電圧（電圧Ｖｉ５）を、電圧Ｖｉ４よりも低く、かつ電圧Ｖｉ４−２（Ｖ）以上の範囲に設定するものとする。これにより、上述した効果を得られることが確認された。
【０１３０】
なお、図１０には、下り消去ランプ電圧Ｌ６の勾配を、下りランプ電圧Ｌ２および下りランプ電圧Ｌ４の勾配と等しくする例（例えば、約−２．５Ｖ／μｓｅｃ）を示したが、本実施の形態は、下り消去ランプ電圧Ｌ６の勾配が、何らこの数値に限定されるものではない。本実施の形態は、上述した効果を得るために、下り消去ランプ電圧Ｌ６の最低電圧（電圧Ｖｉ５）を上述の範囲に設定する構成を示したに過ぎない。したがって、例えば、下り消去ランプ電圧Ｌ６の勾配を、下り消去ランプ電圧Ｌ５と同様に、下りランプ電圧Ｌ２および下りランプ電圧Ｌ４よりも緩やかな勾配に設定する構成としてもよい。この構成では、実施の形態１に示した効果と上述した実施の形態２に示す効果との双方の効果を得ることも可能である。
【０１３１】
図１１は、本発明の実施の形態２における走査電極駆動回路１４３の一構成例を示す回路図である。走査電極駆動回路１４３は、維持パルス発生回路５０と、初期化波形発生回路１５１と、走査パルス発生回路１５２とを備える。走査パルス発生回路１５２の各出力端子は、パネル１０の走査電極ＳＣ１〜走査電極ＳＣｎのそれぞれに接続されている。なお、実施の形態１に示した初期化波形発生回路５１と同様の構成要素については同じ符号を付与し、説明を省略する。
【０１３２】
初期化波形発生回路１５１は、実施の形態１に示した初期化波形発生回路５１と同様に、ミラー積分回路５３と、ミラー積分回路５４と、ミラー積分回路５５とを有する。
【０１３３】
ミラー積分回路５４は、スイッチング素子Ｑ２とコンデンサＣ２と抵抗Ｒ２とを有し、初期化動作時においては、基準電位Ａを電圧Ｖｉ４までランプ状に緩やかに（例えば、−２．５Ｖ／μｓｅｃの勾配で）下降させて下りランプ電圧Ｌ２および下りランプ電圧Ｌ４を発生させる。また、維持期間における維持パルスの発生後には、基準電位Ａを下りランプ電圧Ｌ２および下りランプ電圧Ｌ４と同じ勾配（例えば、−２．５Ｖ／μｓｅｃの勾配で）で、下りランプ電圧Ｌ２および下りランプ電圧Ｌ４の最低電圧Ｖｉ４よりも低い電圧Ｖｉ５まで下降させて下り消去ランプ電圧Ｌ６を発生させる。
【０１３４】
走査パルス発生回路１５２は、走査電極ＳＣ１〜走査電極ＳＣｎのそれぞれに走査パルスを出力する複数の走査ＩＣ５６（本実施の形態では、走査ＩＣ５６（１）〜走査ＩＣ５６（１２））を含む、実施の形態１の図５に示した走査パルス発生回路５２の構成に加え、２つの入力端子に入力される入力信号の大小を比較する比較器ＣＰ１と、比較器ＣＰ１の一方の入力端子に電圧（Ｖａ＋Ｖｓｅｔ２）を印加するためのスイッチング素子ＳＷ１と、比較器ＣＰ１の一方の入力端子に電圧（Ｖａ＋Ｖｓｅｔ２ｅｒｓ）を印加するためのスイッチング素子ＳＷ２とを備えている。なお、比較器ＣＰ１の他方の入力端子は基準電位Ａに接続されている。また、走査ＩＣ５６の低電圧側（入力端子ＩＮａ）には基準電位Ａが接続されている。
【０１３５】
走査ＩＣ５６は、低電圧側の入力端子である入力端子ＩＮａと、高電圧側の入力端子である入力端子ＩＮｂとの２つの入力端子を有する。そして、走査ＩＣ５６に入力される制御信号にもとづき、２つの入力端子に入力される信号のいずれかを出力する。走査ＩＣ５６のそれぞれには、制御信号として、制御信号発生回路４５から出力される制御信号ＯＣ１、比較器ＣＰ１から出力される制御信号ＯＣ２が入力される。また、書込み期間において最初に走査を行う走査ＩＣ５６（１）には、書込み期間の開始直後に制御信号発生回路４５から出力される走査開始信号ＳＩＤ（１）が入力される。また、全ての走査ＩＣ５６（本実施の形態では、走査ＩＣ５６（１）〜走査ＩＣ５６（１２））には、信号処理動作の同期をとるための同期信号であるクロック信号ＣＬＫ（図１１には示さず）が入力される。
【０１３６】
図１２は、本発明の実施の形態２における走査電極駆動回路１４３の走査ＩＣ５６と走査電極ＳＣ１〜走査電極ＳＣｎとの接続の様子を示す概略図である。なお、図１２では、走査ＩＣ５６以外の回路は省略している。
【０１３７】
走査パルス発生回路１５２は、走査パルス発生回路５２と同様に、ｎ本の走査電極ＳＣ１〜走査電極ＳＣｎのそれぞれに走査パルス電圧を印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣ５６である。
【０１３８】
例えば、本実施の形態では、９０本の出力分のスイッチング素子を１つのモノリシックＩＣとして集積化して走査ＩＣ５６とする。このとき、パネル１０が１０８０本の走査電極２２を備えていれば、１２個の走査ＩＣ５６（１）〜走査ＩＣ５６（１２）を用いて走査パルス発生回路１５２を構成し、ｎ＝１０８０本の走査電極ＳＣ１〜走査電極ＳＣｎを駆動することができる。このように多数のスイッチング素子ＱＨ１〜スイッチング素子ＱＨｎ、スイッチング素子ＱＬ１〜スイッチング素子ＱＬｎをＩＣ化することにより部品点数を削減し、実装面積を低減することができる。ただし、本実施の形態で示した数値は単なる一例であり、本発明は何らこれらの数値に限定されるものではない。
【０１３９】
図１３は、本発明の実施の形態２における制御信号ＯＣ１、制御信号ＯＣ２と走査ＩＣ５６の動作状態との対応関係を示す図である。
【０１４０】
図１３に示すように、制御信号ＯＣ１、制御信号ＯＣ２が共にハイレベル（「Ｈｉ」と記す）のとき、走査ＩＣ５６は「Ａｌｌ‐Ｈｉ」の状態となる。「Ａｌｌ‐Ｈｉ」の状態の走査ＩＣ５６は、スイッチング素子ＱＨ１〜スイッチング素子ＱＨｎがオンとなり、スイッチング素子ＱＬ１〜スイッチング素子ＱＬｎがオフとなって、走査ＩＣ５６の出力端子の全てが高電圧側の入力端子ＩＮｂと電気的に接続された状態となる。
【０１４１】
また、制御信号ＯＣ１が「Ｈｉ」、制御信号ＯＣ２がローレベル（「Ｌｏ」と記す）のとき、走査ＩＣ５６は「Ａｌｌ‐Ｌｏ」の状態となる。「Ａｌｌ‐Ｌｏ」の状態の走査ＩＣ５６は、スイッチング素子ＱＨ１〜スイッチング素子ＱＨｎがオフとなり、スイッチング素子ＱＬ１〜スイッチング素子ＱＬｎがオンとなって、走査ＩＣ５６の出力端子の全てが低電圧側の入力端子ＩＮａと電気的に接続された状態となる。例えば、維持パルス発生回路５０を動作させているときは、走査ＩＣ５６を「Ａｌｌ‐Ｌｏ」の状態にする。こうすることで、維持パルス発生回路５０から出力される維持パルスを、スイッチング素子ＱＬ１〜スイッチング素子ＱＬｎを経由して走査電極ＳＣ１〜走査電極ＳＣｎに印加することができる。
【０１４２】
また、制御信号ＯＣ１、制御信号ＯＣ２が共に「Ｌｏ」のとき、走査ＩＣ５６は、出力端子がハイインピーダンス状態（以下、「ＨｉＺ」と記す）となる。
【０１４３】
また、制御信号ＯＣ１が「Ｌｏ」、制御信号ＯＣ２が「Ｈｉ」のとき、走査ＩＣ５６は、「ＤＡＴＡ」状態となる。「ＤＡＴＡ」状態の走査ＩＣ５６は、走査ＩＣ５６に入力される走査開始信号にもとづき、あらかじめ定められた一連の動作を行う。
【０１４４】
具体的には、走査ＩＣ５６に走査開始信号ＳＩＤが入力されると（本実施の形態では、走査開始信号ＳＩＤを所定の期間「Ｌｏ」にすると）、まず最初に、走査ＩＣ５６の最初の出力端子だけが低電圧側の入力端子ＩＮａと電気的に接続され、残りの全ての出力端子は高電圧側の入力端子ＩＮｂと電気的に接続される。その状態が所定時間（例えば、１μｓｅｃ）継続された後、次に、走査ＩＣ５６の２番目の出力端子だけが低電圧側の入力端子ＩＮａと電気的に接続され、残りの全ての出力端子は高電圧側の入力端子ＩＮｂと電気的に接続される。このようにして、走査ＩＣ５６の各出力端子が、順番に、所定時間ずつ、低電圧側の入力端子ＩＮａと電気的に接続されていく。
【０１４５】
書込み期間では、スイッチング素子Ｑ５をオンにして基準電位Ａを負の電圧Ｖａに等しくし、入力端子ＩＮａには負の電圧Ｖａを、入力端子ＩＮｂには電圧Ｖａ＋電圧Ｖｓｃとなった電圧Ｖｃを印加する。したがって、走査パルスを印加する走査電極ＳＣｉには、スイッチング素子ＱＬｉを経由して負の走査パルス電圧Ｖａが印加される。走査パルスを印加しない走査電極ＳＣｈ（ｈは、１〜ｎのうちｉを除いたもの）には、スイッチング素子ＱＨｈを経由して電圧Ｖａ＋電圧Ｖｓｃが印加される。
【０１４６】
このように、書込み期間に走査ＩＣ５６を「ＤＡＴＡ」状態にすることで、走査パルスを順次発生し、走査電極ＳＣ１〜走査電極ＳＣｎに印加することができる。
【０１４７】
なお、本実施の形態では、書込み期間の最初に走査を行う走査ＩＣ５６（例えば、走査ＩＣ５６（１））に用いる走査開始信号ＳＩＤ（１）を制御信号発生回路４５で発生させている。そして、残りの走査開始信号、例えば、走査ＩＣ５６（２）に用いる走査開始信号ＳＩＤ（２）から走査ＩＣ５６（１２）に用いる走査開始信号ＳＩＤ（１２）までの各走査開始信号は、走査ＩＣ５６のそれぞれで発生させている。
【０１４８】
具体的には、走査ＩＣ５６（１）は、走査ＩＣ５６（１）に接続された全ての走査電極２２に走査パルスを印加し終えた後、シフトレジスター等を使って走査開始信号ＳＩＤ（１）を所定時間遅延させて走査開始信号ＳＩＤ（２）を作成し、次段の走査ＩＣ５６（２）に供給する。走査ＩＣ５６（２）は、同様に、走査開始信号ＳＩＤ（２）を所定時間遅延させて作成した走査開始信号ＳＩＤ（３）を次段の走査ＩＣ５６（３）に供給する。以下、同様に、各走査ＩＣ５６は、入力された走査開始信号を所定時間遅延させて新たな走査開始信号を作成し、次段の走査ＩＣ５６に供給する。
【０１４９】
次に、電圧Ｖｉ４まで下降する第１の下り傾斜電圧である下りランプ電圧Ｌ２を発生させる動作と、電圧Ｖｉ５まで下降する第３の下り傾斜電圧である下り消去ランプ電圧Ｌ６を発生させる動作とを図１４を用いて説明する。
【０１５０】
図１４は、本発明の実施の形態２における全セル初期化期間の走査電極駆動回路１４３の動作の一例を説明するためのタイミングチャートである。なお、この図面では全セル初期化動作時の駆動波形を例にして説明するが、選択初期化動作において下りランプ電圧Ｌ４を発生させる動作は、図１４に説明する下りランプ電圧Ｌ２を発生させる動作と同様であるものとする。
【０１５１】
また、図１４では、維持期間の最後の駆動波形を期間Ｔ１〜期間Ｔ３で示した３つの期間に分割し、全セル初期化動作を行う駆動波形を期間Ｔ１１〜期間Ｔ１４で示した４つの期間に分割して、それぞれの期間について説明する。また、以下、電圧Ｖｉ３は電圧Ｖｓに等しいものとし、電圧Ｖｉ２は電圧Ｖｓｃ＋電圧Ｖｒに等しいものとし、電圧Ｖｉ４は電圧（Ｖａ＋Ｖｓｅｔ２）に等しいものとし、電圧Ｖｉ５は電圧（Ｖａ＋Ｖｓｅｔ２ｅｒｓ）に等しいものとして説明する。
【０１５２】
以下、維持期間の維持パルス発生後に下り消去ランプ電圧Ｌ６を発生させ、その後、下りランプ電圧Ｌ２を発生させる際の動作について説明する。
【０１５３】
まず、期間Ｔ１に入る前に維持パルス発生回路５０のクランプ回路を動作させて基準電位Ａを０（Ｖ）にする。そして、スイッチング素子ＱＨ１〜スイッチング素子ＱＨｎをオフ、スイッチング素子ＱＬ１〜スイッチング素子ＱＬｎをオンにして、基準電位Ａ（このとき、０（Ｖ））を走査電極ＳＣ１〜走査電極ＳＣｎに印加する（図示せず）。また、制御信号ＯＣ１は「Ｈｉ」にしておく（図示せず）。
【０１５４】
（期間Ｔ１）
期間Ｔ１では、下りの傾斜電圧を発生するミラー積分回路５４の入力端子ＩＮ２を「Ｈｉ」にする。具体的には入力端子ＩＮ２に、所定の定電流を入力する。すると、抵抗Ｒ２からコンデンサＣ２に向かって一定の電流が流れ、スイッチング素子Ｑ２のドレイン電圧が負の電圧Ｖｉ５（本実施の形態では、電圧（Ｖａ＋Ｖｓｅｔ２ｅｒｓ）に等しい）に向かってランプ状に下降し、走査電極駆動回路１４３の出力電圧もランプ状に下降し始める。このとき、傾斜電圧の勾配が所望の値（例えば、−２．５Ｖ／μｓｅｃ）になるように、入力端子ＩＮ２に入力する定電流を発生させる。
【０１５５】
なお、本実施の形態では、下り消去ランプ電圧Ｌ６を、最低電位を電圧（Ｖａ＋Ｖｓｅｔ２ｅｒｓ）にして発生させている。そのために、期間Ｔ１では、スイッチング素子ＳＷ２をオンにし、スイッチング素子ＳＷ１をオフにして、比較器ＣＰ１の一方の端子に電圧（Ｖａ＋Ｖｓｅｔ２ｅｒｓ）を印加する。こうして、比較器ＣＰ１で、基準電位Ａ、すなわち初期化波形発生回路１５１から出力される下りの傾斜電圧と、電圧Ｖａに電圧Ｖｓｅｔ２ｅｒｓを重畳した電圧（Ｖａ＋Ｖｓｅｔ２ｅｒｓ）との比較を行う。
【０１５６】
これにより、制御信号ＯＣ２である比較器ＣＰ１からの出力信号は、基準電位Ａにおける下りの傾斜電圧が電圧（Ｖａ＋Ｖｓｅｔ２ｅｒｓ）以下となる時刻ｔ１で「Ｌｏ」から「Ｈｉ」に切換わる。すなわち、期間Ｔ１では、時刻ｔ１までは制御信号ＯＣ１は「Ｈｉ」、制御信号ＯＣ２は「Ｌｏ」であって、走査ＩＣ５６は「Ａｌｌ‐Ｌｏ」の状態であり、時刻ｔ１以降は、制御信号ＯＣ１、制御信号ＯＣ２は共に「Ｈｉ」となって、走査ＩＣ５６は「Ａｌｌ‐Ｈｉ」の状態となる。したがって、走査ＩＣ５６から出力される電圧は、時刻ｔ１で、初期化波形発生回路１５１から出力される下りの傾斜電圧から入力端子ＩＮｂに入力される電圧（基準電位Ａに電圧Ｖｓｃが重畳された電圧）に切換わり、それまでの電圧下降が電圧上昇に切換わる。
【０１５７】
このようにして、本実施の形態では、電圧（Ｖａ＋Ｖｓｅｔ２ｅｒｓ）まで下降する下り消去ランプ電圧Ｌ６を、維持期間における全ての維持パルスを発生させた後に発生させ、走査電極ＳＣ１〜走査電極ＳＣｎに印加する。この下り消去ランプ電圧Ｌ６が下降する間に走査電極２２とデータ電極３２との間の電圧差は放電開始電圧を超え、これにより、走査電極２２とデータ電極３２との間に微弱な放電を発生させ、この微弱な放電を下り消去ランプ電圧Ｌ６が下降する期間、継続させることができる。
【０１５８】
なお、この微弱な放電は、実施の形態１で説明したのと同様に、書込み放電および維持放電が発生しなかった非点灯の放電セルで、かつ走査電極２２上に不要な負の壁電荷が蓄積した放電セルにのみ発生する。書込み放電が発生した点灯放電セルや、非点灯であっても走査電極２２上に蓄積した不要な負の壁電荷が微小な量に過ぎない放電セルでは、この微弱な放電は発生しない。
【０１５９】
そして、下り消去ランプ電圧Ｌ６が電圧（Ｖａ＋Ｖｓｅｔ２ｅｒｓ）まで下降した後、入力端子ＩＮ２に、例えば０（Ｖ）を印加して、入力端子ＩＮ２を「Ｌｏ」にし、ミラー積分回路５４の動作を停止する。
【０１６０】
（期間Ｔ２〜期間Ｔ１３）
続く期間Ｔ２、期間Ｔ３、期間Ｔ１１、期間Ｔ１２、期間Ｔ１３における各動作は、図６で説明した期間Ｔ２、期間Ｔ３、期間Ｔ１１、期間Ｔ１２、期間Ｔ１３と同様であるので、説明を省略する。
【０１６１】
（期間Ｔ１４）
期間Ｔ１４では、下りの傾斜電圧を発生するミラー積分回路５４の入力端子ＩＮ２を「Ｈｉ」にする。具体的には入力端子ＩＮ２に、所定の定電流を入力する。すると、抵抗Ｒ２からコンデンサＣ２に向かって一定の電流が流れ、スイッチング素子Ｑ２のドレイン電圧が負の電圧Ｖｉ４（本実施の形態では、電圧（Ｖａ＋Ｖｓｅｔ２に等しい）に向かってランプ状に下降し、走査電極駆動回路１４３の出力電圧もランプ状に下降し始める。このとき、傾斜電圧の勾配が所望の値（例えば、−２．５Ｖ／μｓｅｃ）になるように、入力端子ＩＮ２に入力する定電流を発生させる。
【０１６２】
なお、本実施の形態では、下りランプ電圧Ｌ２を、電位Ｖｉ４を電圧（Ｖａ＋Ｖｓｅｔ２）にして発生させている。そのために、期間Ｔ１４では、スイッチング素子ＳＷ１をオンにし、スイッチング素子ＳＷ２をオフにして、比較器ＣＰ１の一方の端子に電圧（Ｖａ＋Ｖｓｅｔ２）を印加する。こうして、比較器ＣＰ１で、基準電位Ａ、すなわち初期化波形発生回路１５１から出力される下りの傾斜電圧と、電圧Ｖａに電圧Ｖｓｅｔ２を重畳した電圧（Ｖａ＋Ｖｓｅｔ２）との比較を行う。
【０１６３】
これにより、比較器ＣＰ１からの出力信号である制御信号ＯＣ２は、基準電位Ａにおける下りの傾斜電圧が電圧（Ｖａ＋Ｖｓｅｔ２）以下となる時刻ｔ２で「Ｌｏ」から「Ｈｉ」に切換わる。すなわち、期間Ｔ１４では、時刻ｔ２までは制御信号ＯＣ１は「Ｈｉ」、制御信号ＯＣ２は「Ｌｏ」であって、走査ＩＣ５６は「Ａｌｌ‐Ｌｏ」の状態であり、時刻ｔ２以降は、制御信号ＯＣ１、制御信号ＯＣ２は共に「Ｈｉ」となって、走査ＩＣ５６は「Ａｌｌ‐Ｈｉ」の状態となる。したがって、走査ＩＣ５６から出力される電圧は、時刻ｔ２で、初期化波形発生回路１５１から出力される下りの傾斜電圧から入力端子ＩＮｂに入力される電圧（基準電位Ａに電圧Ｖｓｃが重畳された電圧）に切換わり、それまでの電圧下降が電圧上昇に切換わる。
【０１６４】
このようにして、本実施の形態では、電圧（Ｖａ＋Ｖｓｅｔ２）まで下降する下りランプ電圧Ｌ２（または、下りランプ電圧Ｌ４）を発生し、走査電極ＳＣ１〜走査電極ＳＣｎに印加する。
【０１６５】
以上のようにして、走査電極駆動回路１４３は、第３の下り傾斜電圧である下り消去ランプ電圧Ｌ６と、第１の下り傾斜電圧である下りランプ電圧Ｌ２および下りランプ電圧Ｌ４とを、最低電圧を互いに異なる電圧にして発生している。
【０１６６】
なお、下りランプ電圧Ｌ２、下りランプ電圧Ｌ４および下り消去ランプ電圧Ｌ６は、図１４に示すように、あらかじめ設定された電圧に到達した後、直ちに上昇させる構成であってもよいが、例えば、下降する電圧が、あらかじめ設定された電圧に到達したら、その後、その電圧を一定期間維持する構成であってもよい。
【０１６７】
以上説明したように、本実施の形態では、維持期間において、維持パルスを表示電極対２４に印加し終わった後に、下りランプ電圧Ｌ２および下りランプ電圧Ｌ４の最低電圧（電圧Ｖｉ４）よりも低い最低電圧（電圧Ｖｉ５）の下り消去ランプ電圧Ｌ６を走査電極ＳＣ１〜走査電極ＳＣｎに印加する。そして、維持放電が発生しなかった非点灯の放電セルで、かつ走査電極２２上に不要な負の壁電荷が蓄積した放電セルに消去放電を発生させる。こうすることで、維持放電が発生しなかった非点灯の放電セルに蓄積された不要な負の壁電荷を除去し、続くサブフィールドの書込み時に異常な書込み放電が発生するのを防止して、画像表示品質の劣化を防止することができる。
【０１６８】
さらに、本実施の形態では、下り消去ランプ電圧Ｌ６の最低電圧（電圧Ｖｉ５）を、下りランプ電圧Ｌ２および下りランプ電圧Ｌ４の最低電圧（電圧Ｖｉ４）よりも低く、かつ電圧Ｖｉ４−２（Ｖ）以上の範囲に設定することで、誤放電の種となる不要な壁電荷を除去する効果を十分に得ることができる、下りランプ電圧Ｌ２および下りランプ電圧Ｌ４の印加時に異常な放電が発生するのを防止することができる、続く書込み放電が発生しにくくならない、といった効果を得ることができる。
【０１６９】
なお、本実施の形態によれば、書込み期間において、安定した書込み放電を発生させるために必要な走査パルス電圧（振幅）を低減できる効果も得られることが確認された。書込みパルス電圧Ｖｄを、例えば１７０（Ｖ）にして、本実施の形態に示したパネル駆動を行ったときの測定結果と、下り消去ランプ電圧Ｌ６の代わりに０（Ｖ）を走査電極ＳＣ１〜走査電極ＳＣｎに印加したときに得られた測定結果と比較した。その結果、本実施の形態に示したパネル駆動を行ったときには、安定した書込み放電を発生させるために必要な走査パルス電圧（振幅）が、約１９（Ｖ）も低減できることが確認された。すなわち、本実施の形態によれば、高精細化されたパネルにおいても、書込み放電を発生させるために必要な電圧を高くすることなく安定に書込み放電を発生させることが可能となる。
【０１７０】
なお、本実施の形態では、全てのサブフィールドで下り消去ランプ電圧Ｌ６を走査電極ＳＣ１〜走査電極ＳＣｎに印加する構成を説明したが、本発明は必ずしもこの構成に限定されるものではない。例えば、非点灯の放電セルに不要な負の壁電荷の蓄積が発生しやすい輝度重みの大きいサブフィールドにおいてのみ、下り消去ランプ電圧Ｌ６を発生させる構成であってもよい。例えば、１フィールドを８つのサブフィールド（第１ＳＦ、第２ＳＦ、・・・、第８ＳＦ）で構成し、各サブフィールドがそれぞれ１、２、４、８、１６、３２、６４、１２８の輝度重みを有する構成であれば、比較的輝度重みの大きい第６ＳＦから第８ＳＦにおいてのみ下り消去ランプ電圧Ｌ６を発生させる構成としてもよい。このように、比較的輝度重みの大きいサブフィールドにおいてのみ下り消去ランプ電圧Ｌ６を発生させる構成であっても上述と同様の効果を得ることができる。
【０１７１】
なお、本実施の形態では、下り消去ランプ電圧Ｌ６を全て同じ勾配で発生させる構成を説明した。しかし、例えば、下り消去ランプ電圧Ｌ６を複数の期間に分け、各期間で勾配を変えて下り消去ランプ電圧Ｌ６を発生させる構成としてもよい。図１５は、本発明の実施の形態２における走査電極２２に印加する下り消去ランプ電圧Ｌ６の他の波形例を示す波形図である。例えば、図１５に示すように、消去放電が発生するまでは下りランプ電圧Ｌ２および下りランプ電圧Ｌ４よりも急峻な勾配（例えば、−８Ｖ／μｓｅｃ）で下降させ、その後、一旦下りランプ電圧Ｌ２および下りランプ電圧Ｌ４と同等の勾配（例えば、−２．５Ｖ／μｓｅｃ）で下降させ、最後に、下りランプ電圧Ｌ２および下りランプ電圧Ｌ４よりも緩やかな勾配（例えば、−１Ｖ／μｓｅｃ）で下降させて、下り消去ランプ電圧を発生させる構成としてもよい。このような構成であっても、上述と同様の効果が得られることが確認された。また、この構成では、下り消去ランプ電圧を発生させる期間を短縮できるという効果も得られる。
【０１７２】
なお、本実施の形態では、走査電極ＳＣ１〜走査電極ＳＣｎに下り消去ランプ電圧Ｌ６を印加する期間、維持電極ＳＵ１〜維持電極ＳＵｎには０（Ｖ）を印加する構成を説明したが、本発明は何らこの構成に限定されるものではない。図１６は、本発明の実施の形態２におけるパネルの各電極に印加する駆動電圧波形の他の一例を示す波形図である。本実施の形態においては、例えば、図１６に示すように、走査電極ＳＣ１〜走査電極ＳＣｎに下り消去ランプ電圧Ｌ６を印加する期間、維持電極ＳＵ１〜維持電極ＳＵｎに所定の電圧（例えば、電圧Ｖｅ１に等しい電圧）を印加する構成であってもよい。
【０１７３】
なお、本実施の形態において図１４に示したタイミングチャートは一実施例を示したものに過ぎない。本発明は、何らこれらのタイミングチャートに限定されるものではない。
【０１７４】
なお、本発明の実施の形態では、下り消去ランプ電圧Ｌ５（または、下り消去ランプ電圧Ｌ６）および上り消去ランプ電圧Ｌ３を走査電極ＳＣ１〜走査電極ＳＣｎに印加する構成を説明したが、最後の維持パルスを印加する電極が走査電極ＳＣ１〜走査電極ＳＣｎの場合には、下り消去ランプ電圧Ｌ５（または、下り消去ランプ電圧Ｌ６）および上り消去ランプ電圧Ｌ３を維持電極ＳＵ１〜維持電極ＳＵｎに印加する構成とすることもできる。しかし、本実施の形態においては、最後の維持パルスを印加する電極を維持電極ＳＵ１〜維持電極ＳＵｎにし、下り消去ランプ電圧Ｌ５（または、下り消去ランプ電圧Ｌ６）および上り消去ランプ電圧Ｌ３を走査電極ＳＣ１〜走査電極ＳＣｎに印加する構成にする方が望ましい。
【０１７５】
また、本発明における実施の形態は、いわゆる２相駆動によるパネルの駆動方法にも適用させることができる。２相駆動では、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とに分ける。この２相駆動においても、本発明における実施の形態を適用することで、上述と同様の効果を得ることができる。
【０１７６】
なお、本発明における実施の形態は、走査電極と走査電極とが隣り合い、維持電極と維持電極とが隣り合う電極構造、すなわち前面板２１に設けられる電極の配列が、「・・・、走査電極、走査電極、維持電極、維持電極、走査電極、走査電極、・・・」となる電極構造のパネルにおいても有効である。
【０１７７】
なお、本実施の形態において示した具体的な各数値、例えば、上りランプ電圧Ｌ１、下りランプ電圧Ｌ２、下りランプ電圧Ｌ４、上り消去ランプ電圧Ｌ３、下り消去ランプ電圧Ｌ５、下り消去ランプ電圧Ｌ６の各傾斜電圧の勾配等は表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【０１７８】
本発明は、高精細化されたパネルにおいても、壁電荷の調整を適正に行って安定した書込み動作を行うことが可能となる。したがって、書込み期間における異常放電の発生を抑えて画像表示品質を向上させることができるので、プラズマディスプレイ装置およびパネルの駆動方法として有用である。
【符号の説明】
【０１７９】
１    プラズマディスプレイ装置
１０    パネル（プラズマディスプレイパネル）
２１    前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３，１４３    走査電極駆動回路
４４    維持電極駆動回路
４５    制御信号発生回路
５０    維持パルス発生回路
５１，１５１    初期化波形発生回路
５２，１５２    走査パルス発生回路
５３，５４，５５    ミラー積分回路
５６    走査ＩＣ
６１    定電流発生回路
Ｑ１，Ｑ２，Ｑ３，Ｑ４，Ｑ５，Ｑ６，Ｑ２１，ＱＨ１〜ＱＨｎ，ＱＬ１〜ＱＬｎ，ＳＷ１，ＳＷ２    スイッチング素子
Ｃ１，Ｃ２，Ｃ３，Ｃ３１    コンデンサ
Ｄ３１    ダイオード
Ｄ９，Ｄ１０    ツェナーダイオード
ＣＰ１    比較器
Ｒ１，Ｒ２，Ｒ３，Ｒ９，Ｒ１２，Ｒ１３    抵抗
Ｑ９    トランジスタ
Ｌ１    上りランプ電圧
Ｌ２，Ｌ４    下りランプ電圧
Ｌ３    上り消去ランプ電圧
Ｌ５，Ｌ６    下り消去ランプ電圧
【手続補正２】
【補正対象書類名】特許請求の範囲
【補正対象項目名】全文
【補正方法】変更
【補正の内容】
【特許請求の範囲】
【請求項１】
初期化期間と書込み期間と維持期間とを有するサブフィールドを１フィールド内に複数設けて階調表示するサブフィールド法で駆動し、複数の走査電極を有するプラズマディスプレイパネルと、
前記初期化期間には下降する第１の下り傾斜電圧を発生し、前記維持期間には維持パルスを発生し、前記維持期間の最後には上昇する上り傾斜電圧を発生して前記走査電極に印加する走査電極駆動回路とを備え、
前記走査電極駆動回路は、前記維持期間において前記維持パルスの発生後に、前記第１の下り傾斜電圧よりも緩やかな勾配で下降する部分を有する第２の下り傾斜電圧を発生し、前記第２の下り傾斜電圧の発生後に前記上り傾斜電圧を発生して前記走査電極に印加することを特徴とするプラズマディスプレイ装置。
【請求項２】
前記走査電極駆動回路は、前記第２の下り傾斜電圧を、前記第１の下り傾斜電圧よりも緩やかな勾配で下降する部分と前記緩やかな勾配よりも急峻な勾配で下降する部分とを含めて発生して前記走査電極に印加することを特徴とする請求項１に記載のプラズマディスプレイ装置。
【請求項３】
前記走査電極駆動回路は、前記第２の下り傾斜電圧を、−０．５Ｖ／μｓｅｃ以上−２．５Ｖ／μｓｅｃ未満の勾配で発生して前記走査電極に印加することを特徴とする請求項１に記載のプラズマディスプレイ装置。
【請求項４】
複数の走査電極を有するプラズマディスプレイパネルを、初期化期間と書込み期間と維持期間とを有するサブフィールドを１フィールド内に複数設けて階調表示するサブフィールド法により駆動するとともに、
前記初期化期間には下降する第１の下り傾斜電圧を発生し、前記維持期間には維持パルスを発生し、前記維持期間の最後には上昇する上り傾斜電圧を発生して前記走査電極に印加し、
前記維持期間において前記維持パルスの発生後に、前記第１の下り傾斜電圧よりも緩やかな勾配で下降する部分を有する第２の下り傾斜電圧を発生して前記走査電極に印加し、前記第２の下り傾斜電圧の発生後に前記上り傾斜電圧を発生して前記走査電極に印加することを特徴とするプラズマディスプレイパネルの駆動方法。
【請求項５】
初期化期間と書込み期間と維持期間とを有するサブフィールドを１フィールド内に複数設けて階調表示するサブフィールド法で駆動し、複数の走査電極を有するプラズマディスプレイパネルと、
前記初期化期間には下降する第１の下り傾斜電圧を発生し、前記維持期間には維持パルスを発生し、前記維持期間の最後には上昇する上り傾斜電圧を発生して前記走査電極に印加する走査電極駆動回路とを備え、
前記走査電極駆動回路は、前記維持期間において前記維持パルスの発生後に、前記第１の下り傾斜電圧の最低電圧よりも低い電圧まで下降する第３の下り傾斜電圧を発生し、前記第３の下り傾斜電圧の発生後に前記上り傾斜電圧を発生して前記走査電極に印加することを特徴とするプラズマディスプレイ装置。
【請求項６】
前記走査電極駆動回路は、前記第３の下り傾斜電圧の最低電圧を、前記第１の下り傾斜電圧の最低電圧よりも低く、かつ前記第１の下り傾斜電圧の最低電圧−２（Ｖ）以上にして前記第３の下り傾斜電圧を発生して、前記走査電極に印加することを特徴とする請求項５に記載のプラズマディスプレイ装置。
【請求項７】
複数の走査電極を有するプラズマディスプレイパネルを、初期化期間と書込み期間と維持期間とを有するサブフィールドを１フィールド内に複数設けて階調表示するサブフィールド法により駆動するとともに、
前記初期化期間には下降する第１の下り傾斜電圧を発生し、前記維持期間には維持パルスを発生し、前記維持期間の最後には上昇する上り傾斜電圧を発生して前記走査電極に印加し、
前記維持期間において前記維持パルスの発生後に、前記第１の下り傾斜電圧の最低電圧よりも低い電圧まで下降する第３の下り傾斜電圧を発生して前記走査電極に印加し、前記第３の下り傾斜電圧の発生後に前記上り傾斜電圧を発生して前記走査電極に印加することを特徴とするプラズマディスプレイパネルの駆動方法。
【手続補正３】
【補正対象書類名】図面
【補正対象項目名】全図
【補正方法】変更
【補正の内容】
【図１】
2010016233.tif 000019
【図２】
2010016233.tif 000020
【図３】
2010016233.tif 000021
【図４】
2010016233.tif 000022
【図５】
2010016233.tif 000023
【図６】
2010016233.tif 000024
【図７】
2010016233.tif 000025
【図８】
2010016233.tif 000026
【図９】
2010016233.tif 000027
【図１０】
2010016233.tif 000028
【図１１】
2010016233.tif 000029
【図１２】
2010016233.tif 000030
【図１３】
2010016233.tif 000031
【図１４】
2010016233.tif 000032
【図１５】
2010016233.tif 000033
【図１６】
2010016233.tif 000034
【国際調査報告】
2010016233.tif 000035
2010016233.tif 000036
2010016233.tif 000037
2010016233.tif 000038
2010016233.tif 000039
2010016233.tif 000040
2010016233.tif 000041
2010016233.tif 000042
2010016233.tif 000043
2010016233.tif 000044